(57)【特許請求の範囲】
【請求項１】
基地局及び移動局を有する無線通信システムにおいて、
前記基地局は、
前記移動局との間における、それぞれ個別の周期を有する通信タイミングで通信を行う複数の通信間で通信タイミングが重複する場合、いずれか一方の通信タイミングの１つ前又は後ろのサブフレームで通信するように通信設定を変更することで重複解消の制御を行う制御部を備え、
前記移動局は、
前記制御部により重複する通信タイミングにおける通信設定の変更の制御を受けた前記各通信タイミングで、前記基地局と通信を行う通信制御部を備えた
ことを特徴とする無線通信システム。 
【請求項２】
前記制御部は、
前記各通信における周期的な通信タイミングを含む通信設定を前記移動局に通知する通信設定通知部と、
前記通信設定通知部が通知した各通信間における通信タイミングが重複する場合、重複する通信タイミングにおける通信設定を変更する制御信号を送信する制御信号送信部とを備え、
前記通信制御部は、
前記制御信号送信部からの制御信号を受けて、前記通信設定通知部から通知された前記通信設定のうちの重複する通信タイミングにおける通信設定を変更する設定制御部と、
前記設定制御部により変更が加えられた通信設定を用いて、前記各通信の通信タイミングで前記基地局とデータの送受信を行うデータ送受信部とを備えた
ことを特徴とする請求項１に記載の無線通信システム。 
【請求項３】
前記制御信号送信部は、重複する通信タイミングが重ならないようにそれぞれの通信タイミングを指定する制御信号を送信し、
前記設定制御部は、重複する通信タイミングを前記制御信号送信部からの前記制御信号により指定された通信タイミングにずらすことで、通信タイミングの重複を解消する
ことを特徴とする請求項２に記載の無線通信システム。 
【請求項４】
前記制御信号送信部は、重複する通信タイミングのうち所定の通信タイミング以外の通信タイミングを、前記所定の通信タイミングと重ならず且つそれぞれも重ならないように指定し、
前記設定制御部は、重複する通信タイミングを前記制御信号送信部からの前記制御信号により指定された通信タイミングにずらすことで、通信タイミングの重複を解消する
ことを特徴とする請求項２に記載の無線通信システム。 
【請求項５】
前記通信設定通知部は、前記所定の通信タイミングをデータのＱｏｓに基づいて決定することを特徴とする請求項４に記載の無線通信システム。 
【請求項６】
前記通信設定通知部は、通信設定として少なくとも時間を含む無線リソースを通知することを特徴とする請求項２に記載の無線通信システム。 
【請求項７】
前記制御部は、
前記移動局との間における、個別の周期を有する通信タイミングで通信を行う複数の通信間でいずれかの通信タイミングが重複する場合、重複する通信タイミングをずらして前記通信タイミングを修正する通信タイミング修正部と、
前記通信タイミング修正部により修正された前記各通信の通信タイミングを前記移動局に通知する通信タイミング通知部とを備え、
前記通信制御部は、
前記通信タイミング修正部により修正された前記各通信タイミングの通知を前記通信タイミング通知部から受けて、前記各通信タイミングを取得する通信タイミング取得部と、
前記通信タイミング取得部が取得した通信タイミングで、前記基地局とデータの送受信を行うデータ送受信部とを備えた
ことを特徴とする請求項１に記載の無線通信システム。 
【請求項８】
基地局及び移動局を有する無線通信システムにおいて、
前記基地局は、
個別の周期を有する通信タイミングで通信を行う複数の通信のそれぞれの通信タイミングを設定する通信設定部と、
前記各通信間でいずれかの通信タイミングが重なる場合、重複する通信タイミングを含む所定期間を特定する送信タイミング特定部と、
送信タイミング特定部により特定された前記所定期間以外では、前記通信設定部が決定した通信タイミングで前記移動局と通信を行い、該所定期間では、重複する通信タイミングのいずれか一方の通信タイミングの１つ前又は後ろのサブフレームで通信するように制御信号を送信して前記移動局と通信を行う送信制御部とを備え、
前記移動局は、
前記通信設定部により決定された前記各通信のそれぞれの通信タイミングを取得し、該通信タイミングにおいて、前記各通信間でいずれかの通信タイミングが重複する場合、重複する通信タイミングを含む所定期間を特定する受信タイミング特定部と、
前記受信タイミング特定部により特定された前記所定期間以外では、前記通信設定部により決定された通信タイミングで前記基地局と通信を行い、該所定期間では、前記制御信号を受信して前記基地局と通信を行う受信制御部とを備えた
ことを特徴とする無線通信システム。  
【請求項９】
基地局との間における、それぞれ個別の周期を有する通信タイミングで通信を行う複数の通信間で通信タイミングが重複する場合、基地局により重複する通信タイミングのいずれか一方の通信タイミングの１つ前又は後ろのサブフレームで通信するように通信設定の変更の制御を受けた前記各通信のそれぞれの通信タイミングで、前記基地局と通信を行う通信制御部を備えたことを特徴とする移動局。 
【請求項１０】
移動局との間における、それぞれ個別の周期を有する通信タイミングで通信を行う複数の通信間で通信タイミングが重複する場合、いずれか一方の通信タイミングの１つ前又は後ろのサブフレームで通信するように通信設定を変更することで重複解消の制御を行う制御部を備えたことを特徴とする基地局。 
【請求項１１】
基地局及び移動局を有する無線通信システムの制御方法であって、
前記基地局に、前記移動局との間における、それぞれ個別の周期を有する通信タイミングで通信を行う複数の通信間で通信タイミングが重複する場合、いずれか一方の通信タイミングの１つ前又は後ろのサブフレームで通信するように通信設定を変更することで重複解消の制御を行わせ、
前記移動局に、前記基地局により重複する通信タイミングにおける通信設定の変更の制御を受けた各通信のそれぞれの通信タイミングで、前記基地局と通信を行わせる
ことを特徴とする無線通信システム制御方法。
【発明の詳細な説明】
【技術分野】
【０００１】
本発明は、無線通信システム、移動局、基地局及び無線通信システム制御方法に関する。
【背景技術】
【０００２】
近年、セルラ型の移動通信は、ＵＭＴＳ（Universal  Mobile  Telecommunication  System）からＬＴＥ（Long  Term  Evolution）に進化してきている。ＬＴＥでは、無線アクセス技術として、ＯＦＤＭ（Orthogonal  Frequency  Division  Multiplexing）をベースとした方式が規定され、下りのピーク伝送レートは１００Ｍｂ／ｓ以上であり、上りのピーク伝送レートは５０Ｍｂ／ｓ以上である高速無線パケット通信が可能となる。さらに、国際標準化団体である３ＧＰＰ（3rd  Generation  Partnership  Project）では、更なる高速通信の実現に向けて、ＬＴＥをベースとした移動通信システムであるＬＴＥ−Ａ（LTE-Advanced）の検討が始まっている。【０００３】
さらに、ＬＴＥ及びＬＴＥ−Ａでは、データ受信のスケジューリング方法として、ＤＳ（Dynamic  Scheduling）及びＳＰＳ（Semi-Persistent  Scheduling）と呼ばれる２種類の方法が規定されている。ＤＳは、上り及び下りの通信のいずれもＰＤＣＣＨで利用している無線リソースが指定され、指定されたパラメータでデータであるＰＤＳＣＨ（Physical  Downlink  Shared  Channel）を送信する。【０００４】
一方、ＳＰＳは、通信を実際に実行する前から、所定の送信周期を有する所定の期間を予め通知しておく。そして、ＳＰＳを用いた通信（以下では、「ＳＰＳ通信」という。）を実施する場合、ＰＤＣＣＨによるアクティベーションコマンドを基地局が送信し、どの無線リソースを継続使用するかを移動局に通知することにより通信が開始される。例えば、ＶｏＩＰ通信では２０ｍｓ毎にデータの初送が発生する場合、まずはＲＲＣで２０ｍｓという送信周期を通知する。続いて、実際に通信を行う場合、ＰＤＣＣＨによるアクティベーションコマンドで使用する無線リソースを指定し、そのサブフレームから２０ｍｓのＳＰＳ通信が開始される。ＳＰＳ通信は、このように事前に通信周期と無線リソースを通知することにより、各ＳＰＳタイミングでＰＤＣＣＨによるＤＬ  ａｓｓｉｇｎｍｅｎｔ（Downlink  Assignment）やＵＬ  ａｓｓｉｇｎｍｅｎｔ（Uplink  Grant）を送信することが回避できる。そのため、ＳＰＳ通信では、パケットサイズが小さいデータだけをＰＤＳＣＨ上で送信するだけでよく、小さなデータであるＰＤＳＣＨに対してＰＤＣＣＨが付随しないため、ＰＤＣＣＨのシグナリングオーバヘッドを低減することができる。一方、データの再送を実行する場合、ダイナミックスケジューリングが使われる。そして、ＳＰＳ通信が終了するとＰＤＣＣＨによるリリースコマンドを基地局から移動局に送信するか、implicitReleaseAfterというパラメータで指定された回数だけ空送信を行うとＳＰＳ通信の実施を停止する。具体的には、ＳＰＳ通信の周期は保持し、指定された無線リソースを以降は使わないとする。ＳＰＳ通信を再開する場合、再びＰＤＣＣＨによるアクティベーションコマンドを送信し使用する無線リソースを指定する。また、ＳＰＳ通信は、ＤＳを使用することによっても実施可能である。例えば、２０ｍｓ毎に基地局がＤＳを用いた通信を実行することで、ＳＰＳ通信が行われる。ただし、ＤＳを用いてＳＰＳ通信を実現した場合、ＰＤＣＣＨのシグナリングオーバヘッドは大きくなる。【０００５】
ＳＰＳ通信のような信号の間欠受信において、送信データの有無により、スケジューリング周期の後にアクティブ期間を継続するか、スリープ期間に入るかを制御する従来技術がある。また、基地局と移動局の間欠受信のタイミングの同期がずれている場合に、ＤＲＸタイミングの非同期化信号を送り同期を回復させる従来技術がある。
【先行技術文献】
【特許文献】
【０００６】
【特許文献１】特開２００９−１６５１３１号公報
【特許文献２】特表２０１０−５１８７６５号公報
【非特許文献】
【０００７】
【非特許文献１】3GPP  TR  36.913,  “Requirements  for  further  advancements  for  Evolved  Universal  Terrestrial  Radio  Access  (E-UTRA)  (LTE-Advanced)”,  V9.0.0,  Release  9,  December  2009.
【非特許文献２】3GPP  TR36.912,  “Feasibility  study  for  further  advancements  for  E-UTRA  (LTE-Advanced)”,  V9.3.0,  Release  9,  June  2010.
【非特許文献３】3GPP  TS36.300,  “Evolved  Universal  Terrestrial  Radio  Access  (E-UTRA)  and  Evolved  Universal  Terrestrial  Radio  Access  Network  (E-UTRAN)”,  V10.4.0,  Release  10,  June  2011.
【非特許文献４】3GPP  TS36.321,  “Medium  Access  Control  (MAC)  protocol  specification”,  V10.2.0,  Release  10,  June  2011.
【発明の概要】
【発明が解決しようとする課題】
【０００８】
しかしながら、異なる通信周期を有するＳＰＳが、基地局と移動局との通信において設定された場合、２つのＳＰＳ通信のタイミングが重なるおそれがある。これに対して、ＬＴＥ及びＬＴＥ−Ａであは、ＭＩＭＯ（Multiple  Input  Multiple  Output）伝送が設定されていなければ、あるサブフレームにおいて送信できるデータ、より正確にはトランスポートブロックは、１つのみと規定されている。そのため、一方のＳＰＳ通信が継続できなくなるおそれがある。【０００９】
また、スケジューリング周期の後にアクティブ期間を継続するか、スリープ期間に入るかを制御する従来技術や同期を回復させる従来技術などを用いても、ＳＰＳ通信が重なる場合には、ＳＰＳ通信が継続できなくなるおそれがある。【００１０】
開示の技術は、上記に鑑みてなされたものであって、ＳＰＳの通信タイミングが重なる場合でもＳＰＳ通信を継続する無線通信システム、移動局、基地局及び無線通信システム制御方法を提供することを目的とする。
【課題を解決するための手段】
【００１１】
本願の開示する無線通信システム、移動局、基地局及び無線通信システム制御方法は、一つの態様において、基地局及び移動局を有する無線通信システムである。そして、前記基地局は、前記移動局との間における、それぞれ個別の周期を有する通信タイミングで通信を行う複数の通信間で通信タイミングが重複する場合、いずれか一方の通信タイミングの１つ前又は後ろのサブフレームで通信するように通信設定を変更することで重複解消の制御を行う制御部を備える。前記移動局は、前記制御部により重複する通信タイミングにおける通信設定の変更の制御を受けた前記各通信タイミングで、前記基地局と通信を行う通信部を備える。
【発明の効果】
【００１２】
本願の開示する無線通信システム、移動局、基地局及び無線通信システム制御方法の一つの態様によれば、ＳＰＳの通信タイミングが重なる場合でもＳＰＳ通信を継続できるという効果を奏する。
【図面の簡単な説明】
【００１３】
【図１】図１は、実施例１に係る移動局のブロック図である。
【図２】図２は、実施例１に係る基地局のブロック図である。
【図３】図３は、ＳＰＳ通信の全体の流れを説明するための概要図である。
【図４】図４は、実施例１に係る無線通信システムによる通信タイミングの重複時の処理の概要を説明するための図である。
【図５】図５は、実施例１に係る移動局のＳＰＳ通信における通信タイミングの重複解消の処理のフローチャートである。
【図６】図６は、実施例１に係る基地局のＳＰＳ通信における通信タイミングの重複解消の処理のフローチャートである。
【図７】図７は、変形例１に係る無線通信システムによる通信タイミングの重複時の処理の概要を説明するための図である。
【図８】図８は、実施例２に係る無線通信システムによる通信タイミングの重複時の処理の概要を説明するための図である。
【図９】図９は、実施例２に係る移動局のＳＰＳ通信における通信タイミングの重複解消の処理のフローチャートである。
【図１０】図１０は、実施例２に係る基地局のＳＰＳ通信における通信タイミングの重複解消の処理のフローチャートである。
【図１１】図１１は、実施例３に係る無線通信システムによる通信タイミングの重複時の処理の概要を説明するための図である。
【図１２】図１２は、実施例３に係る移動局のＳＰＳ通信における通信タイミングの重複解消の処理のフローチャートである。
【図１３】図１３は、実施例３に係る基地局のＳＰＳ通信における通信タイミングの重複解消の処理のフローチャートである。
【図１４】図１４は、実施例４に係る無線通信システムによる通信タイミングの重複時の処理の概要を説明するための図である。
【図１５】図１５は、実施例４に係る移動局のＳＰＳ通信における通信タイミングの重複解消の処理のフローチャートである。
【図１６】図１６は、実施例４に係る基地局のＳＰＳ通信における通信タイミングの重複解消の処理のフローチャートである。
【図１７】図１７は、実施例５に係る無線通信システムによる通信タイミングの重複時の処理の概要を説明するための図である。
【図１８】図１８は、実施例５に係る移動局のＳＰＳ通信における通信タイミングの重複解消の処理のフローチャートである。
【図１９】図１９は、実施例５に係る基地局のＳＰＳ通信における通信タイミングの重複解消の処理のフローチャートである。
【図２０】図２０は、移動局のハードウェア構成図である。
【図２１】図２１は、基地局のハードウェア構成図である。
【発明を実施するための形態】
【００１４】
以下に、本願の開示する無線通信システム、移動局、基地局及び無線通信システム制御方法の実施例を図面に基づいて詳細に説明する。なお、以下の実施例により本願の開示する無線通信システム、移動局、基地局及び無線通信システム制御方法が限定されるものではない。
【実施例１】
【００１５】
図１は、実施例１に係る移動局のブロック図である。また、図２は、実施例１に係る基地局のブロック図である。【００１６】
図１に示すように、本実施例に係る移動局１は、送受信部１１、制御部１２、上り送信部１３を有している。さらに、制御部１２は、制御プレーン部１１０及びデータプレーン部１２０を有している。そして、制御プレーン部１１０は、ＳＰＳ周期制御部１１１及びＳＰＳ通信制御部１１２を有している。また、データプレーン部１２０は、ＳＰＳ受信管理部１２１及びＨＡＲＱ（Hybrid  Automatic  Repeat  Request）管理部１２２を有している。【００１７】
送受信部１１は、後述する基地局２との間でアンテナを介して無線信号の送受信を行う。送受信部１１は、通信設定を通知する制御信号であるＬ３信号であるＲＲＣ（Radio  Resource  Control）シグナリングを基地局２から受信する。ＲＲＣシグナリングで通知される通信設定には、ＳＰＳ通信の周期的な通信タイミングの指定が含まれている。さらに、本実施例では、ＲＲＣシグナリングに、ＳＰＳ通信の設定（アクティベーション）及び設定の解除（リリース）を指示するＰＤＣＣＨの受信タイミングも含まれている。ただし、これらの情報はＳＰＳ通信が重なった場合、どれだけ受信タイミングを前後にずらすかを指定するためのタイミングの情報であり、ＳＰＳ通信を開始するためのアクティベーション及びリリースのタイミングを通知するものではない。また、受信タイミングをずらす通知の方法はこれに限らず、例えば、報知情報でずらし方を放置する方法や、予め仕様書にずらし方を記載しておく方法などでもよい。【００１８】
ＳＰＳ通信の設定を指示するＰＤＣＣＨは、アクティベーションコマンドを含むＰＤＣＣＨであり、以下では「アクティベーションのＰＤＣＣＨ」と言う場合がある。また、ＳＰＳ通信の設定解除を指示するＰＤＣＣＨは、リリースコマンドを含むＰＤＣＣＨであり、「リリースのＰＤＣＣＨ」と言う場合がある。そして、送受信部１１は、受信したＲＲＣシグナリングから、ＳＰＳ通信の通信タイミングを取得し、ＳＰＳ周期制御部１１１へ送信する。本実施例では、移動局１と基地局２との間で複数のＳＰＳ通信が行われるので、送受信部１１は、ＲＲＣシグナリングによって、複数のＳＰＳ通信におけるそれぞれの周期的な通信タイミングを受信する。そして、それぞれの通信タイミングをＳＰＳ周期制御部１１１へ送信する。さらに、送受信部１１は、受信したＲＲＣシグナリングから、アクティベーションのＰＤＣＣＨの受信タイミング及びリリースのＰＤＣＣＨの受信タイミングを取得し、ＳＰＳ通信制御部１１２へ送信する。【００１９】
さらに、送受信部１１は、ＲＲＣから基地局２によってずらされた通信タイミングを取得する。ここで、基地局２によってずらされた通信タイミングとは、各ＳＰＳ通信間で通信タイミングが重複する場合、基地局２が、重複しているそれぞれのＳＰＳ通信における通信タイミングをずらすことで、決められる通信タイミングである。基地局２による通信タイミングの変更については後で詳細に説明する。そして、送受信部１１は、基地局２によってずらされた通信タイミングをＳＰＳ通信制御部１１２へ通知する。【００２０】
また、送受信部１１は、アクティベーションのＰＤＣＣＨ及びリリースのＰＤＣＣＨをアンテナを介して基地局２から受信する。そして、送受信部１１は、アクティベーションのＰＤＣＣＨ及びリリースのＰＤＣＣＨを、ＳＰＳ通信制御部１１２へ送信する。【００２１】
また、送受信部１１は、基地局２からＳＰＳ通信におけるデータ（以下では、「ＳＰＳデータ」と言う。）を受信する。そして、送受信部１１は、受信したデータをＳＰＳ受信管理部１２１へ出力する。【００２２】
また、送受信部１１は、ＮＡＣＫ（Negative  ACKnowledgement）の入力を上り送信部１３から受ける。そして、送受信部１１は、取得したＮＡＣＫをアンテナを介して基地局２へ送信する。【００２３】
ＳＰＳ周期制御部１１１は、複数のＳＰＳ通信における周期的な通信タイミングを個別に管理する。ＳＰＳ通信のそれぞれが、「通信」の一例にあたる。ＳＰＳ周期制御部１１１は、複数のＳＰＳ通信におけるそれぞれの周期的な通信タイミングを送受信部１１から受信する。そして、ＳＰＳ周期制御部１１１は、各ＳＰＳ通信における周期的な通信タイミングを分離し、それぞれの周期的な通信タイミングのスケジュールを個別に生成する。そして、ＳＰＳ周期制御部１１１は、各ＳＰＳ通信における周期的な通信タイミングの個別のスケジュールをＳＰＳ受信管理部１２１へ通知する。【００２４】
ＳＰＳ通信制御部１１２は、無線リソース及びＰＤＣＣＨの受信タイミングを、ＳＰＳ通信毎に制御する。ＳＰＳ通信制御部１１２は、アクティベーションのＰＤＣＣＨの受信タイミング、リリースのＰＤＣＣＨの受信タイミング及びずらした通信タイミングを送受信部１１から取得する。また、ＳＰＳ通信制御部１１２は、アクティベーションのＰＤＣＣＨを送受信部１１から受信する。【００２５】
ＳＰＳ通信制御部１１２は、取得したＰＤＣＣＨの受信タイミングから、それぞれのＳＰＳ通信に対応するＰＤＣＣＨの受信タイミングを特定する。そして、ＳＰＳ通信制御部１１２は、ＲＲＣシグナリングで指定されたアクティベーションのＰＤＣＣＨの受信タイミングにおいて、送受信部１１からアクティベーションのＰＤＣＣＨを受信し、アクティベーションの指示を確認する。さらに、ＳＰＳ通信制御部１１２は、アクティベーションのＰＤＣＣＨからＳＰＳ通信で用いる、周波数、時間及び符号化方法などのＳＰＳ通信で使用する無線リソースを取得する。アクティベーションの指示を確認すると、ＳＰＳ通信制御部１１２は、ＳＰＳ通信のアクティベーションをＳＰＳ受信管理部１２１に指示する。このとき、ＳＰＳ通信制御部１１２は、ＳＰＳ通信で用いる無線リソースもＳＰＳ受信管理部１２１へ通知する。また、ＳＰＳ通信制御部１１２は、ＲＲＣシグナリングで指定されたリリースのＰＤＣＣＨの受信タイミングにおいて、送受信部１１からリリースのＰＤＣＣＨを受信し、リリースの指示を確認する。リリースの指示を確認すると、ＳＰＳ通信制御部１１２は、ＳＰＳ受信管理部１２１にＳＰＳ通信の設定の解除をＳＰＳ受信管理部１２１に指示する。さらに、ＳＰＳ通信制御部１１２は、ずらされた通信タイミングでデータを受信するようＳＰＳ受信管理部１２１に指示する。【００２６】
また、ＳＰＳ通信制御部１１２は、上り送信部１３に対して基地局２へのデータ送信に用いる無線リソースを通知する。ここで、ＳＰＳ通信制御部１１２は、ＳＰＳ受信管理部１２１に対するアクティベーションの指示及びリリースの指示を、ＳＰＳ通信毎に行う。このＳＰＳ通信制御部１１２が、「設定制御部」の一例にあたる。【００２７】
ＳＰＳ受信管理部１２１は、各ＳＰＳ通信における周期的な通信タイミングの個別のスケジュールをＳＰＳ周期制御部１１１から受信する。さらに、ＳＰＳ受信管理部１２１は、ＳＰＳ通信の開始前に、アクティベーションの指示をＳＰＳ通信制御部１１２から受ける。そのとき、ＳＰＳ受信管理部１２１は、ＳＰＳ通信で用いる無線リソースの通知もＳＰＳ通信制御部１１２から受ける。アクティベーションの指示を受けて、ＳＰＳ受信管理部１２１は、通知された無線リソースを用いてＳＰＳ通信の設定を行う。このＳＰＳ通信の設定を行なった後、ＳＰＳ受信管理部１２１は、ＳＰＳ周期制御部１１１から受信した各ＳＰＳ通信の通信タイミングのスケジュールに合わせて送受信部１１からＳＰＳ通信のデータを受信する。そして、ＳＰＳ受信管理部１２１は、受信したデータをＭＡＣ（Medium  Access  Control）、ＲＬＣ（Radio  Link  Control）、ＰＤＣＰ（Packet  Data  Convergence  Protocol）などの各レイヤにおいて処理を実施した後、ユーザにデータを提供する。【００２８】
また、ＳＰＳ受信管理部１２１は、ＳＰＳ通信を行っている間に、リリースの指示をＳＰＳ通信制御部１１２から受けると、ＳＰＳ通信の設定を解除する。そして、ＳＰＳ受信管理部１２１は、ＤＳ（Dynamic  Scheduling）に通信の設定を切り替える。その後、ＳＰＳ受信管理部１２１は、ＳＰＳ通信制御部２１２から通知されたずらされた通信タイミングにおいて、ＰＤＣＣＨ及びＰＤＳＣＨを含むデータを送受信部１１を介して基地局２から受信する。そして、ＳＰＳ受信管理部１２１は、受信したデータのＰＤＣＣＨから制御命令を取得し、制御命令に従ってＰＤＳＣＨを処理する。そして、ＳＰＳ受信管理部１２１は、処理した信号を操作者に提供する。【００２９】
さらに、ＳＰＳ受信管理部１２１は、Dynamic  Schedulingに通信の設定を切り替えている状態で、アクティベーションの指示をＳＰＳ通信制御部１１２から受けると、ＳＰＳ通信の設定を回復する。その後、リリース前と同様に、ＳＰＳ通信によりデータを受信し、操作者への提供を行う。【００３０】
ここで、リリースの指示を受けてＤＳ通信を行うことで、ＳＰＳ受信管理部１２１は、基地局２からの指示により、重複するタイミングから通信タイミングをずらすことができる。これにより、移動局１は、各ＳＰＳ通信間の通信タイミングの重複を解消でき、全てのＳＰＳ通信のデータを受信することができる。【００３１】
また、ＳＰＳ受信管理部１２１は、受信したデータの処理結果をＨＡＲＱ管理部１２２へ出力する。このＳＰＳ受信管理部１２１が、「データ送受信部」の一例にあたる。【００３２】
ＨＡＲＱ管理部１２２は、データの再送の管理を行う。ＨＡＲＱ管理部１２２は、データの処理結果をＳＰＳ受信管理部１２１から取得する。そして、ＨＡＲＱ管理部１２２は、受信した処理結果によりデータ受信の失敗を検出すると、上り送信部１３にデータの再送要求を指示する。【００３３】
上り送信部１３は、データの再送要求をＨＡＲＱ管理部１２２から受信する。そして、上り送信部１３は、ＳＰＳ通信制御部１１２から通知された無線リソースを用いてＮＡＣＫを基地局２へ送受信部１１を介して送信する。【００３４】
また、図２に示すように、本実施例に係る基地局２は、上位局送受信部２１、制御部２２、スケジューリング部２３及び送受信部２４を有している。さらに、制御部２２は、制御プレーン部２１０及びデータプレーン部２２０を有している。そして、制御プレーン部２１０は、ＳＰＳ周期制御部２１１、ＳＰＳ通信制御部２１２及び信号生成部２１３を有している。また、データプレーン部２２０は、ＳＰＳ送信管理部２２１及びＨＡＲＱ管理部２２２を有している。また、基地局２は、ネットワークを介して上位局３と接続されている。【００３５】
上位局送受信部２１は、上位局３との間でネットワークを介してデータの送受信を行う。上位局送受信部２１は、上位局３から受信したデータを信号生成部２１３へ出力する。また、上位局送受信部２１は、信号生成部２１３からデータを受信する。そして、上位局送受信部２１は、受信したデータを上位局３へ送信する。【００３６】
送受信部２４は、無線信号を用いて移動局１とのデータの送受信を行う。例えば、送受信部２４は、アクティベーション及びリリースのＰＤＣＣＨを含むデータ、並びにＳＰＳ通信のデータなどＳＰＳ送信管理部２２１から受信し、アンテナを介して移動局１に送信する。また、送受信部２４は、信号生成部２１３からＲＲＣシグナリングなどを受信して、アンテナを介して移動局１へ送信する。さらに、送受信部２４は、移動局１から受信したＮＡＣＫをＨＡＲＱ管理部２２２へ出力する。このように、実際には、基地局２の各部は送受信部２４及びアンテナを介して移動局１とデータの送受信を行うが、説明の便宜上、以下では各部が直接移動局１とデータの送受信を行うように説明する場合がある。【００３７】
ＳＰＳ周期制御部２１１は、スケジューリング部２３が生成した移動局１との間で行う複数のＳＰＳ通信のそれぞれの通信タイミングの周期をスケジューリング部２３から受信する。そして、ＳＰＳ周期制御部２１１は、それぞれのＳＰＳ通信の通信タイミングを個別にＳＰＳ送信管理部２２１に設定する。また、ＳＰＳ周期制御部２１１は、ＳＰＳ通信のそれぞれの通信タイミングの周期を信号生成部２１３に通知する。【００３８】
ＳＰＳ通信制御部２１２は、各ＳＰＳ通信に用いる無線リソースをスケジューリング部２３から受信する。そして、ＳＰＳ通信制御部２１２は、各ＳＰＳ通信に用いる無線リソースをＳＰＳ送信管理部２２１及び信号生成部２１３へ通知する。さらに、ＳＰＳ通信制御部２１２は、ＳＰＳ通信が開始されていない状態における、アクティベーションのＰＤＣＣＨを送信するタイミングをＳＰＳ送信管理部２２１に通知する。【００３９】
また、ＳＰＳ通信制御部２１２はスケジューリング部２３が生成した移動局１との間で行う複数のＳＰＳ通信のそれぞれの通信タイミングをスケジューリング部２３から取得する。そして、ＳＰＳ通信制御部２１２は、受信した各ＳＰＳ通信の通信タイミングから、各ＳＰＳ通信の間で通信タイミングが重複する、すなわち、通信タイミングが重なるタイミングを特定する。そして、ＳＰＳ通信制御部２１２は、各ＳＰＳ通信間の通信タイミングが重ならないように、特定した通信タイミングが重複している部分のそれぞれのＳＰＳ通信における通信タイミングを予め決められた方法でずらす。例えば、２つのＳＰＳ通信を行う場合、ＳＰＳ通信制御部２１２は、一方を特定した通信タイミングから一つ前のサブフレームにずらし、他方を特定した通信タイミングの一つ後のサブフレームにずらす。さらに、ＳＰＳ通信制御部２１２は、ずらした通信タイミングでＤＳ通信を行えるように、各ＳＰＳ通信において、ずらした通信タイミング以前で且つ一つ前のＳＰＳ通信の通信タイミングより後の間で、リリースのＰＤＣＣＨの送信タイミングを決定する。また、ＳＰＳ通信制御部２１２は、ずらした通信タイミングの後でＳＰＳ通信に復帰できるように、各ＳＰＳ通信において、ずらした通信タイミング以降で、アクティベーションのＰＤＣＣＨの送信タイミングを決定する。そして、ＳＰＳ通信制御部２１２は、リリースのＰＤＣＣＨの送信タイミング及びアクティベーションのＰＤＣＣＨの送信タイミングをＳＰＳ送信管理部２２１及び信号生成部２１３に通知する。さらに、ＳＰＳ通信制御部２１２は、ずらした通信タイミングをＳＰＳ送信管理部２２１及び信号生成部２１３へ通知する。このＳＰＳ通信制御部２１２が、「制御信号送信部」の一例にあたる。【００４０】
信号生成部２１３は、各ＳＰＳの周期を、ＳＰＳ周期制御部２１１から受信する。また、信号生成部２１３は、リリースのＰＤＣＣＨの送信タイミング、アクティベーションのＰＤＣＣＨの送信タイミング、並びに、ずらした通信タイミングをＳＰＳ通信制御部２１２から受信する。そして、信号生成部２１３は、各ＳＰＳの期間及び周期、アクティベーションのＰＤＣＣＨの送信タイミング、リリースのＰＤＣＣＨの送信タイミング、並びに、ずらした通信タイミングを含むＲＲＣシグナリングを生成する。そして、信号生成部２１３は、生成したＲＲＣシグナリングを送受信部２４へ出力する。【００４１】
また、信号生成部２１３は、各ＳＰＳ通信において使用する無線リソースをＳＰＳ通信制御部２１２から取得する。信号生成部２１３は、各ＳＰＳ通信における無線リソースの情報を有するアクティベーションのＰＤＣＣＨを含むデータを生成する。また、信号生成部２１３は、リリースのＰＤＣＣＨを含むデータを生成する。そして、生成したアクティベーションやリリースのＰＤＣＣＨを含むデータをＳＰＳ送信管理部２２１へ出力する。さらに、信号生成部２１３は、上位局３から送られてきた移動局１へ送信するデータを上位局送受信部２１から取得する。そして、信号生成部２１３は、移動局１とＳＰＳ通信が行われている通知をＳＰＳ送信管理部２２１から受けた場合、取得したデータをＰＤＳＣＨとするＳＰＳ通信のデータを生成しＳＰＳ送信管理部２２１へ出力する。また、信号生成部２１３は、移動局１とＤＳ通信が行われている通知をＳＰＳ送信管理部２２１から受けた場合、取得したデータをＰＤＳＣＨとし、さらに制御信号であるＰＤＣＣＨを付加させたデータを生成しＳＰＳ送信管理部２２１へ出力する。【００４２】
さらに、信号生成部２１３は、直前の送信データの再送要求をＨＡＲＱ管理部２２２から受信する。そして、信号生成部２１３は、再送要求を受けたデータを再度生成する。その後、信号生成部２１３は、生成した信号を送受信部２４へ出力する。【００４３】
ＳＰＳ送信管理部２２１は、ＳＰＳ通信開始前に、アクティベーションのＰＤＣＣＨを含むデータを信号生成部２１３から受信する。さらに、ＳＰＳ送信管理部２２１は、各ＳＰＳ通信におけるアクティベーションのＰＤＣＣＨの送信タイミングをＳＰＳ通信制御部２１２から受信する。そして、ＳＰＳ送信管理部２２１は、受信した送信タイミングで、アクティベーションのＰＤＣＣＨを含むデータを移動局１へ送信する。ＳＰＳ送信管理部２２１は、移動局１とＳＰＳ通信を行っていることを信号生成部２１３へ通知する。【００４４】
そして、アクティベーションのＰＤＣＣＨを送信した後、ＳＰＳ送信管理部２２１は、ＳＰＳ通信のデータを信号生成部２１３から受信する。そして、ＳＰＳ送信管理部２２１は、ＳＰＳ周期制御部２１１により指定されたＳＰＳ通信のタイミングで、ＳＰＳ通信のデータを移動局１へ送信する。【００４５】
さらに、ＳＰＳ通信を行っている状態で、ＳＰＳ送信管理部２２１は、リリースのＰＤＣＣＨを信号生成部２１３から受信する。さらに、ＳＰＳ送信管理部２２１は、各ＳＰＳ通信におけるリリースのＰＤＣＣＨの送信タイミングをＳＰＳ通信制御部２１２から受信する。そして、ＳＰＳ送信管理部２２１は、受信した送信タイミングで、リリースのＰＤＣＣＨを移動局１へ送信する。これ以降、移動局１と基地局２とはＤＳ通信を行うことになる。ＳＰＳ送信管理部２２１は、移動局１とＤＳ通信を行っていることを信号生成部２１３へ通知する。【００４６】
そして、リリースのＰＤＣＣＨを送信した後、ＳＰＳ送信管理部２２１は、制御信号であるＰＤＣＣＨ及びＰＤＳＣＨが含まれるデータを信号生成部２１３から受信する。そして、ＳＰＳ送信管理部２２１は、受信したデータを移動局１へ送信する。【００４７】
また、ＳＰＳ送信管理部２２１は、ＤＳ通信を行っている状態で、アクティベーションのＰＤＣＣＨを含むデータを信号生成部２１３から受信する。さらに、ＳＰＳ送信管理部２２１は、各ＳＰＳ通信におけるアクティベーションのＰＤＣＣＨの送信タイミングをＳＰＳ通信制御部２１２から受信する。そして、ＳＰＳ送信管理部２２１は、受信した送信タイミングで、アクティベーションのＰＤＣＣＨを含むデータを移動局１へ送信する。この場合、移動局１と基地局２との間の通信はＳＰＳ通信に戻る。ＳＰＳ送信管理部２２１は、移動局１とＳＰＳ通信を行っていることを信号生成部２１３へ通知する。その後は、ＳＰＳ送信管理部２２１は、リリース以前のＳＰＳ通信を継続する。このＳＰＳ送信管理部２２１が、「通信設定通知部」の一例にあたる。【００４８】
ＨＡＲＱ管理部２２２は、移動局１から送信されたＮＡＣＫの入力を送受信部２４から受ける。そして、ＨＡＲＱ管理部２２２は、ＮＡＣＫを受けた直前の送信データの再送要求を信号生成部２１３に通知する。【００４９】
スケジューリング部２３は、無線伝送のスケジューリングのアルゴリズムを記憶している。そして、スケジューリング部２３は、記憶しているアルゴリズムを用いて移動局１に対する各ＳＰＳ通信におけるデータの送信周期や使用する無線リソースなどを求める。そして、スケジューリング部２３は、求めたデータの送信周期などをＳＰＳ周期制御部２１１へ送信する。また、スケジューリング部２３は、各ＳＰＳ通信における無線リソースの情報をＳＰＳ通信制御部２１２へ通知する。【００５０】
次に、図３を参照して、本実施例に係る無線通信システムにおける、通信タイミングの重複が発生しない場合のＳＰＳ通信の全体流れを説明する。図３は、ＳＰＳ通信の全体の流れを説明するための概要図である。図３におけるＬ１〜Ｌ３は、ＯＳＩ（Open  System  Interconnection）基準モデルの下位３階層であるＬ１（第１階層）、Ｌ２（第２階層）、Ｌ３（第３階層）を示す。具体的には、第１階層に属する物理階層は、物理チャネルを用いた情報伝送サービスを提供し、第３階層に位置する無線資源制御（ＲＲＣ）階層は、端末と網間に無線資源を制御する役割を果たす。【００５１】
基地局２は、ＳＰＳ通信を実際に実行する前にＬ３の信号であるＲＲＣシグナリング３０１を移動局１に対して送信する。これにより、移動局１は、ＳＰＳ通信の周期を取得する。【００５２】
その後、実際にＳＰＳ通信を開始するにあたり、基地局２は、アクティベーションコマンドを含むＰＤＣＣＨ３０２を移動局１に対して送信する。これにより、移動局１は、どの無線リソースを継続使用するのかを基地局２から取得する。【００５３】
そして、移動局１及び基地局２は、ＰＤＣＣＨ３０２のタイミングからＲＲＣシグナリング３０１で指定された期間の後、ＰＤＣＣＨ３０２によって通知された無線リソースを用いてＳＰＳデータ３０３の授受を行う。また、移動局１及び基地局２は、ＳＰＳデータ３０３のタイミングからＲＲＣシグナリング３０１で指定された周期が経過したタイミングで、ＳＰＳデータ３０４の授受を行う。さらに、移動局１及び基地局２は、ＳＰＳデータ３０４のタイミングからＲＲＣシグナリング３０１で指定された周期が経過したタイミングで、ＳＰＳデータ３０５の授受を行う。【００５４】
そして、ＲＲＣシグナリング３０１によって通知されたＳＰＳ通信の期間が終了すると、ＳＰＳ通信を終了するために、基地局２は、Ｌ１のシグナリング３０６でリリースを移動局１に指示する。この、Ｌ１のシグナリング３０６は、リリースコマンドを含むＰＤＣＣＨなどである。移動局１は、リリースの指示を受けて、ＳＰＳ通信の設定を解除し、ＳＰＳ通信を終了する。ここで、ＳＰＳ通信は、implicitReleaseAfterというパラメータで指定された回数だけ空送信を行うことによって終了させることもできる。【００５５】
次に図４を参照して、本実施例に係る無線通信システムによる通信タイミングの重複時の処理の全体的な流れを説明する。図４は、実施例１に係る無線通信システムによる通信タイミングの重複時の処理の概要を説明するための図である。ここの説明では、２つのＳＰＳ通信を行う場合で説明する。図４では、縦軸を周波数とし、横軸を時間としている。図４の四角は１つずつがＳＰＳ通信に割り当て可能な無線リソースを表している。そして、四角が並んだ下段がＳＰＳ１というＳＰＳ通信を表しており、上段がＳＰＳ２というＳＰＳ通信を表している。そして、ＳＰＳ１における横縞のサブフレームがＳＰＳ１のＳＰＳ通信タイミングを表している。ＳＰＳ１は、通信タイミングのずらしがなければ５つのサブフレームを１周期としている。また、ＳＰＳ２における縦縞のサブフレームがＳＰＳ２の通信タイミングを表している。ＳＰＳ２は、通信タイミングのずらしがなければ４つのサブフレームを１周期としている。さらに、各四角から矢印が延びている場合、そのサブフレームにおいて基地局２がデータを送信したことを表している。そして、図４の横軸に矢印が到達すると移動局１がデータを受信したことを表している。【００５６】
通信タイミングをずらさない場合、点線で囲われた通信タイミング４０１で、ＳＰＳ１とＳＰＳ２の通信タイミングが重なってしまう。そこで、基地局２のＳＰＳ通信制御部２１２は、通信タイミング４０１のＳＰＳ１の通信タイミングを一つ前のサブフレームにずらす。また、ＳＰＳ通信制御部２１２は、通信タイミング４０１のＳＰＳ２の通信タイミングを一つ後のサブフレームにずらす。さらに、ＳＰＳ通信制御部２１２は、ずらしたＳＰＳ１の通信タイミング以前のタイミングでＳＰＳ１及びＳＰＳ２のリリースのＰＤＣＣＨ４０２及び４０３を送信するタイミングを決定する。また、ＳＰＳ通信制御部２１２は、ずらしたＳＰＳ２の通信タイミングより後のタイミングでＳＰＳ１及びＳＰＳ２のアクティベーションのＰＤＣＣＨ４０６及び４０７を送信するタイミングを決定する。【００５７】
そして、ＳＰＳ通信を行っている状態で、ＳＰＳ通信制御部２１２が決定したＳＰＳ１のリリースのＰＤＣＣＨ４０２を送信するタイミングが到来すると、ＳＰＳ送信管理部２２１は、ＳＰＳ１の通信に対するリリースのＰＤＣＣＨ４０２を移動局１に送信する。移動局１のＳＰＳ通信制御部１１２は、ＳＰＳ１のリリースのＰＤＣＣＨ４０２を受信して、ＳＰＳ１の設定の解除をＳＰＳ受信管理部１２１に指示する。そして、ＳＰＳ受信管理部１２１は、ＳＰＳ１の設定を解除し、ＤＳ通信の設定に切替わる。【００５８】
同様に、ＳＰＳ通信制御部２１２が決定したＳＰＳ２のリリースのＰＤＣＣＨ４０２を送信するタイミングが到来すると、ＳＰＳ送信管理部２２１は、ＳＰＳ２の通信に対するリリースのＰＤＣＣＨ４０３を移動局に送信する。移動局１のＳＰＳ通信制御部１１２は、ＳＰＳ２のリリースのＰＤＣＣＨ４０３を受信して、ＳＰＳ２の設定の解除をＳＰＳ受信管理部１２１に指示する。そして、ＳＰＳ受信管理部１２１は、ＳＰＳ２の設定を解除し、ＤＳ通信の設定に切替わる。【００５９】
その後、ＳＰＳ１の通信タイミングを１つ前のサブフレームにずらした通信タイミングが到来すると、ＳＰＳ送信管理部２２１は、ＳＰＳ１の通信におけるＰＤＣＣＨを含むデータ４０４を移動局１に送信する。移動局１のＳＰＳ受信管理部１２１は、ＤＳ通信によりＰＤＣＣＨを含むデータ４０４を受信する。【００６０】
同様に、ＳＰＳ２の通信タイミングを１つ後のサブフレームにずらした通信タイミングが到来すると、ＳＰＳ送信管理部２２１は、ＳＰＳ２の通信におけるＰＤＣＣＨを含むデータ４０５を移動局１に送信する。移動局１のＳＰＳ受信管理部１２１は、ＤＳ通信によりＰＤＣＣＨを含むデータ４０５を受信する。【００６１】
さらに、ＤＳ通信を行っている状態で、ＳＰＳ通信制御部２１２が決定したＰＳ１のアクティベーションのＰＤＣＣＨ４０６を送信するタイミングが到来すると、ＳＰＳ送信管理部２２１は、ＳＰＳ１の通信に対するアクティベーションのＰＤＣＣＨ４０６を移動局１に送信する。移動局１のＳＰＳ通信制御部１１２は、ＳＰＳ１のアクティベーションのＰＤＣＣＨ４０６を受信して、ＳＰＳ１に対するＳＰＳ通信の設定をＳＰＳ受信管理部１２１に指示する。そして、ＳＰＳ受信管理部１２１は、ＳＰＳ１をＳＰＳ通信の設定に戻す。【００６２】
同様に、ＳＰＳ通信制御部２１２が決定したＳＰＳ２のアクティベーションのＰＤＣＣＨ４０７を送信するタイミングが到来すると、ＳＰＳ送信管理部２２１は、ＳＰＳ２の通信に対するリリースのＰＤＣＣＨ４０７を移動局に送信する。移動局１のＳＰＳ通信制御部１１２は、ＳＰＳ２のアクティベーションのＰＤＣＣＨ４０７を受信して、ＳＰＳ２に対するＳＰＳ通信の設定をＳＰＳ受信管理部１２１に通知する。そして、ＳＰＳ受信管理部１２１は、ＳＰＳ２をＳＰＳ通信の設定に戻す。【００６３】
ここで、リリースのＰＤＣＣＨとＤＳ通信におけるＰＤＣＣＨを含むデータを別々に送っているが、ＤＳ通信におけるＰＤＣＣＨにリリースのＰＤＣＣＨを含めてもよい。また、ここでは、ＳＰＳ１及びＳＰＳ２に対するリリースのＰＤＣＣＨを送信するタイミングをずらしているが、これは同じタイミングで送ってもよい。【００６４】
次に、図５を参照して、本実施例に係る移動局１のＳＰＳ通信における通信タイミングの重複解消の処理の流れを説明する。図５は、実施例１に係る移動局のＳＰＳ通信における通信タイミングの重複解消の処理のフローチャートである。【００６５】
ＳＰＳ周期制御部１１１は、ＲＲＣシグナリングで通知された各ＳＰＳ通信の周期をＳＰＳ受信管理部１２１に通知し、ＳＰＳ通信の周期を個別に設定する（ステップＳ１０１）。【００６６】
ＳＰＳ通信制御部１１２は、アクティベーションのＰＤＣＣＨを受信し、通知された無線リソースを用いてＳＰＳ受信管理部１２１にそれぞれのＳＰＳ通信の設定を指示し、ＳＰＳ通信毎に個別にアクティベーションする（ステップＳ１０２）。【００６７】
ＳＰＳ受信管理部１２１は、ＳＰＳ周期制御部１１１から通知されたＳＰＳの周期を用いて、ＳＰＳデータの受信タイミングが到来したか否かを判定する（ステップＳ１０３）。受信タイミングが到来していない場合（ステップＳ１０３：否定）、ＳＰＳ受信管理部１２１は、受信タイミングまで待機する。【００６８】
これに対して、受信タイミングが到来した場合（ステップＳ１０３：肯定）、ＳＰＳ受信管理部１２１は、ＳＰＳ通信の通信タイミングで、ＳＰＳデータを受信する（ステップＳ１０４）。【００６９】
その後、ＳＰＳ受信管理部１２１は、リリースのＰＤＣＣＨを受信したか否かを判定する（ステップＳ１０５）。リリースのＰＤＣＣＨを受信していない場合（ステップＳ１０５：否定）、ＳＰＳ受信管理部１２１は、受信するまで待機する。【００７０】
これに対して、リリースのＰＤＣＣＨを受信した場合（ステップＳ１０５：肯定）、ＳＰＳ受信管理部１２１は、ＳＰＳ通信の設定を解除する（ステップＳ１０６）。【００７１】
そして、ＳＰＳ受信管理部１２１は、ＳＰＳ通信制御部１１２から通知された受信タイミングで、ＰＤＣＣＨを含むデータを受信し、ＰＤＣＣＨの制御に従いＳＰＳデータ受信する（ステップＳ１０７）。【００７２】
その後、ＳＰＳ通信制御部１１２は、アクティベーションのＰＤＣＣＨを受信し、通知された無線リソースを用いてＳＰＳ受信管理部１２１にそれぞれのＳＰＳ通信の設定を指示し、ＳＰＳ通信毎に個別にアクティベーションする（ステップＳ１０８）。【００７３】
次に、図６を参照して、本実施例に係る基地局２のＳＰＳ通信における通信タイミングの重複解消の処理の流れを説明する。図６は、実施例１に係る基地局のＳＰＳ通信における通信タイミングの重複解消の処理のフローチャートである。【００７４】
ＳＰＳ周期制御部２１１は、スケジューリング部２３から取得した各ＳＰＳ通信の周期をＳＰＳ送信管理部２２１に通知する。そして、ＳＰＳ送信管理部２２１は、ＳＰＳ通信の周期を個別に設定する（ステップＳ２０１）。【００７５】
ＳＰＳ通信制御部２１２は、各ＳＰＳ通信におけるアクティベーションのＰＤＣＣＨの送信をＳＰＳ送信管理部２２１に指示する。ＳＰＳ送信管理部２２１は、ＳＰＳ通信制御部２１２からの指示を受けて、アクティベーションのＰＤＣＣＨを移動局１に送信し、移動局１の各ＳＰＳ通信を個別にアクティベーションする（ステップＳ２０２）。【００７６】
ＳＰＳ送信管理部２２１は、ＳＰＳ周期制御部２１１から通知されたＳＰＳの周期を用いて、ＳＰＳデータの送信タイミングが到来したか否かを判定する（ステップＳ２０３）。送信タイミングが到来していない場合（ステップＳ２０３：否定）、ＳＰＳ送信管理部２２１は、送信タイミングまで待機する。【００７７】
これに対して、送信タイミングが到来した場合（ステップＳ２０３：肯定）、ＳＰＳ送信管理部２２１は、ＳＰＳ通信の通信タイミングで、ＳＰＳデータを送信する（ステップＳ２０４）。【００７８】
その後、ＳＰＳ送信管理部２２１は、リリースのＰＤＣＣＨの送信タイミングか否かを判定する（ステップＳ２０５）。リリースのＰＤＣＣＨの送信タイミングでない場合（ステップＳ２０５：否定）、ＳＰＳ送信管理部２２１は、送信タイミングが到来するまで待機する。【００７９】
これに対して、リリースのＰＤＣＣＨの送信タイミングの場合（ステップＳ２０５：肯定）、ＳＰＳ送信管理部２２１は、移動局１に対してリリースのＰＤＣＣＨを移動局１に送信し、移動局１のＳＰＳ通信の設定を解除する（ステップＳ２０６）。【００８０】
そして、ＳＰＳ送信管理部２２１は、ＳＰＳ通信制御部２１２から通知された送信タイミングで、ＰＳＣＣＨを含むデータを用いてＳＰＳデータを送信する（ステップＳ２０７）。【００８１】
その後、ＳＰＳ通信制御部２１２は、各ＳＰＳ通信におけるアクティベーションのＰＤＣＣＨの送信をＳＰＳ送信管理部２２１に指示する。ＳＰＳ送信管理部２２１は、ＳＰＳ通信制御部２１２からの指示を受けて、アクティベーションのＰＤＣＣＨを移動局に送信し、移動局１の各ＳＰＳ通信を個別にアクティベーションする（ステップＳ２０８）。【００８２】
以上に説明したように、本実施例に係る無線通信装置は、各ＳＰＳ通信において通信タイミングが重複する場合に、通信タイミングをずらしてそれぞれのＳＰＳデータを送信する。これにより、本来の周期では通信タイミングが重なっている場合でも、各ＳＰＳ通信におけるＳＰＳデータを全て送信することが可能となる。【００８３】
（変形例１）
次に、実施例１の変形例について説明する。本変形例に係る無線通信システムは、ＳＰＳ通信の通信タイミングが重複している場合に、１つのＳＰＳ通信はＳＰＳ通信を継続させ、他のＳＰＳ通信をＤＳ通信に切り替えるものである。【００８４】
本変形例に係るＳＰＳ通信制御部２１２は、スケジューリング部２３から、例えば、それぞれのＳＰＳのＱｏＳ（Quality  of  Service）を受信する。そして、ＳＰＳ通信制御部２１２は、重複している通信タイミングをずらす場合、ＱｏＳが最も高いＳＰＳ通信は、そのままＳＰＳ通信を継続すると決定する。さらに、ＳＰＳ通信制御部２１２は、ＳＰＳ通信を継続すると決定したＳＰＳ通信以外のＳＰＳ通信の重複している通信タイミングを予め決められた方法でずらす。例えば、ＳＰＳ通信が２つの場合、ＳＰＳ通信制御部２１２は、ＱｏＳの低い側のＳＰＳ通信の通信タイミングを一つ後のサブフレームにずらす。さらに、ＳＰＳ通信制御部２１２は、各ＳＰＳ通信において、ずらした通信タイミング以前で且つ一つ前のＳＰＳ通信の通信タイミングより後の間で、通信タイミングをずらした各ＳＰＳ通信に対するリリースのＰＤＣＣＨの送信タイミングを決定する。また、ＳＰＳ通信制御部２１２は、ずらした通信タイミングの後でＳＰＳ通信に復帰できるように、各ＳＰＳ通信において、ずらした通信タイミング以降で、アクティベーションのＰＤＣＣＨの送信タイミングを決定する。【００８５】
そして、ＳＰＳ通信制御部２１２は、リリースのＰＤＣＣＨの送信タイミング及びアクティベーションのＰＤＣＣＨの送信タイミングをＳＰＳ送信管理部２２１及び信号生成部２１３に通知する。さらに、ＳＰＳ通信制御部２１２は、ずらした通信タイミングをＳＰＳ送信管理部２２１及び信号生成部２１３へ通知する。【００８６】
信号生成部２１３は、ＲＲＣシグナリングを用いて、継続するＳＰＳ通信以外のＳＰＳ通信に対する、リリースのＰＤＣＣＨの送信タイミング、アクティベーションのＰＤＣＣＨの送信タイミング及びずらした通信タイミングを移動局１に送信する。ここで、ＲＣＣシグナリングによってずらし方を通知する方法は、一例である。例えば、その他の方法として、報知情報でずらし方を報知する方法や、仕様書にずらし方を記載する方法などがある。例えば、ずらし方としては、通信タイミングが重なった場合、ＳＰＳ１を２つ前のサブフレームのタイミングでリリースするなどと予め決めておく方法が考えられる。【００８７】
ＳＰＳ通信制御部２１２は、ＳＰＳ通信制御部２１２から通知された送信タイミングで、継続させるＳＰＳ通信以外のＳＰＳ通信に対する、リリースのＰＤＣＣＨを移動局１へ送信する。その後、ＳＰＳ通信制御部２１２は、継続させるＳＰＳ通信以外のＳＰＳ通信に対して、ＰＤＣＣＨを含むデータをＳＰＳ通信制御部２１２から通知された送信タイミングで移動局１へ送信する。その後、ＳＰＳ通信制御部２１２は、ＳＰＳ通信制御部２１２から通知された送信タイミングで、継続させるＳＰＳ通信以外のＳＰＳ通信に対する、アクティベーションのＰＤＣＣＨを移動局１へ送信する。【００８８】
ＳＰＳ通信制御部１１２は、ＲＲＣシグナリングにより受信した継続させるＳＰＳ通信以外のＳＰＳ通信に対する、リリースのＰＤＣＣＨの送信タイミング、アクティベーションのＰＤＣＣＨの送信タイミング及びずらした通信タイミングをＳＰＳ受信管理部１２１へ通知する。【００８９】
また、ＳＰＳ通信制御部１１２は、継続させるＳＰＳ通信以外のＳＰＳ通信に対する、リリースのＰＤＣＣＨを受信し、継続させるＳＰＳ通信以外のＳＰＳ通信の設定解除をＳＰＳ受信管理部１２１に通知する。その後、ＳＰＳ通信制御部１１２は、継続させるＳＰＳ通信以外のＳＰＳ通信に対する、アクティベーションのＰＤＣＣＨを受信し、継続させるＳＰＳ通信以外のＳＰＳ通信の設定をＳＰＳ受信管理部１２１に通知する。【００９０】
ＳＰＳ受信管理部１２１は、ＳＰＳ通信制御部１１２からの通知を受けて、継続させるＳＰＳ通信以外のＳＰＳ通信の設定を解除し、ＤＳ通信に切り替える。その後、ＳＰＳ受信管理部１２１は、継続させるＳＰＳ通信以外のＳＰＳ通信に対して、ＰＤＣＣＨを含むデータを受信し、ＰＤＣＣＨに従いデータを処理する。その後、ＳＰＳ受信管理部１２１は、ＳＰＳ通信制御部１１２からの通知を受けて、継続させるＳＰＳ通信以外のＳＰＳ通信の設定を行う。この間、ＳＰＳ受信管理部１２１は、基地局２においてＳＰＳ通信を継続すると決定されたＳＰＳ通信については、ＳＰＳ通信によるデータの受信を行う。【００９１】
次に図７を参照して、本変形例に係る無線通信システムによる通信タイミングの重複時の処理の全体的な流れを説明する。図７は、変形例１に係る無線通信システムによる通信タイミングの重複時の処理の概要を説明するための図である。ここの説明では、２つのＳＰＳ通信を行う場合で説明する。図７における各表記の意味は、図４で説明した表記と同じであるものとする。【００９２】
通信タイミングをずらさない場合、点線で囲われた通信タイミング５０１で、ＳＰＳ１とＳＰＳ２の通信タイミングが重なってしまう。そこで、基地局２のＳＰＳ通信制御部２１２は、ＱｏＳの高いＳＰＳ１におけるＳＰＳ通信を継続させると決定する。次に、ＳＰＳ通信制御部２１２は、通信タイミング５０１のＳＰＳ２の通信タイミングを一つ後のサブフレームにずらす。さらに、ＳＰＳ通信制御部２１２は、ずらしたＳＰＳ２の通信タイミング以前のタイミングでＳＰＳ２のリリースのＰＤＣＣＨ５０２を送信するタイミングを決定する。また、ＳＰＳ通信制御部２１２は、ずらしたＳＰＳ２の通信タイミングより後のタイミングでＳＰＳ２のアクティベーションのＰＤＣＣＨ５０３を送信するタイミングを決定する。【００９３】
そして、ＳＰＳ通信制御部２１２が決定したＳＰＳ２のリリースのＰＤＣＣＨ５０２を送信するタイミングが到来すると、ＳＰＳ送信管理部２２１は、ＳＰＳ２の通信に対するリリースのＰＤＣＣＨ５０２を移動局に送信する。移動局１のＳＰＳ通信制御部１１２は、ＳＰＳ２のリリースのＰＤＣＣＨ５０２を受信して、ＳＰＳ２の設定の解除をＳＰＳ受信管理部１２１に指示する。そして、ＳＰＳ受信管理部１２１は、ＳＰＳ２の設定を解除し、ＤＳ通信の設定に切替わる。【００９４】
その後、ＳＰＳ２の通信タイミングを１つ後のサブフレームにずらした通信タイミングが到来すると、ＳＰＳ送信管理部２２１は、ＳＰＳ２の通信におけるＰＤＣＣＨを含むデータ５０５を移動局１に送信する。移動局１のＳＰＳ受信管理部１２１は、ＤＳ通信によりＰＤＣＣＨを含むデータ５０５を受信する。【００９５】
この間、ＳＰＳ送信管理部２２１は、ＳＰＳ１ではＳＰＳ通信を継続する。そして、受信管理部１２１は、ＳＰＳ通信により、ＳＰＳ１のＳＰＳデータを受信する。【００９６】
さらに、ＤＳ通信を行っている状態で、ＳＰＳ通信制御部２１２が決定したＳＰＳ２のアクティベーションのＰＤＣＣＨ５０４を送信するタイミングが到来すると、ＳＰＳ送信管理部２２１は、ＳＰＳ２の通信に対するアクティベーションのＰＤＣＣＨ５０４を移動局１に送信する。移動局１のＳＰＳ通信制御部１１２は、ＳＰＳ２のアクティベーションのＰＤＣＣＨ５０４を受信して、ＳＰＳ２に対するＳＰＳ通信の設定をＳＰＳ受信管理部１２１に通知する。そして、ＳＰＳ受信管理部１２１は、ＳＰＳ２をＳＰＳ通信の設定に戻す。【００９７】
この間、ＳＰＳ送信管理部２２１は、ＳＰＳ１ではＳＰＳ通信を継続する。そして、受信管理部１２１は、ＳＰＳ通信により、ＳＰＳ１のＳＰＳデータを受信し続ける。【００９８】
本変形例に係る移動局１及び基地局２におけるＳＰＳ通信における通信タイミングの重複解消の処理の流れは、図５及び図６で示したフローにおいてリリース及びアクティベーションの対象を１つ減らした処理となり、処理の流れは図５及び図６と同様である。【００９９】
以上に説明したように、本変形例に係る無線通信システムは、通信タイミングが重なるＳＰＳ通信のうち１つのＳＰＳ通信を継続させ、他のＳＰＳ通信ではＤＳ通信を用いて通信タイミングをずらして通信を行う。これにより、実施例１と比較して、通信タイミングをずらす対象が減るので、処理の負荷を軽減することができる。また、アクティベーション及びリリースのＰＤＣＣＨの送受信を減らすことでシグナリング量が減らすことができ、無線通信をより安定させることができる。
【実施例２】
【０１００】
次に、実施例２について説明する。本実施例に係る無線通信システムは、基地局及び移動局のそれぞれにおいて同じ期間になるように、基地局及び移動局のそれぞれが自律的にＤＳ通信を行う期間を定め、その期間ではＤＳ通信を行うことが上述した実施例及び変形例と異なるものである。本実施例に係る移動局及び基地局についても、図１及び図２のブロック図で表される。以下では、上述した実施例及び変形例と同様の各部の構成及び動作については説明を省略する。【０１０１】
基地局２のＳＰＳ周期制御部２１１は、スケジューリング部２３から取得した各ＳＰＳ通信の通信タイミングをＳＰＳ送信管理部２２１に通知し、ＳＰＳ通信の周期的な通信タイミングを設定する。このＳＰＳ周期制御部２２１が、「通信設定部」の一例にあたる。【０１０２】
ＳＰＳ通信制御部２１２は、スケジューリング部２３から取得した各ＳＰＳ通信の通信タイミングから、各ＳＰＳ通信間で重複する通信タイミングを特定する。そして、ＳＰＳ通信制御部２１２は、重複する通信タイミングの１つ前のＳＰＳ通信の通信タイミングのうち最も遅いタイミングから、重複する通信タイミングの１つ後のＳＰＳ通信の通信タイミングのうち最も早いタイミングまでの間で、所定の期間を決定する。例えば、ＳＰＳ通信制御部２１２は、重複する通信タイミングの１つ前のＳＰＳ通信の通信タイミングのうち最も遅いタイミングの終了時点を所定の期間の開始時点とする。また、例えば、ＳＰＳ通信制御部２１２は、重複する通信タイミングの１つ後のＳＰＳ通信の通信タイミングのうち最も早いタイミングの開始時点を所定の期間の終了時点とする。【０１０３】
そして、ＳＰＳ通信制御部２１２は、決定した所定の期間をＳＰＳ送信管理部２２１に通知する。このＳＰＳ通信制御部２１２が、「送信タイミング特定部」の一例にあたる。【０１０４】
ＳＰＳ送信管理部２２１は、ＳＰＳ通信制御部２１２から通知された所定の期間では、ＰＤＣＣＨを含むデータを移動局１に送信する。このＳＰＳ送信管理部２２１が、「送信制御部」の一例にあたる。【０１０５】
移動局１のＳＰＳ通信制御部１１２は、受信したＲＲＣシグナリングから各ＳＰＳ通信の通信タイミングを取得し、各ＳＰＳ通信間で重複する通信タイミングを特定する。そして、ＳＰＳ通信制御部１１２は、重複する通信タイミングの１つ前のＳＰＳ通信の通信タイミングのうち最も遅いタイミングから、重複する通信タイミングの１つ後のＳＰＳ通信の通信タイミングのうち最も早いタイミングまでの間で、所定の期間を特定する。この所定の期間の特定方法は、基地局２のＳＰＳ通信制御部２１２と同じ方法である。これにより、ＳＰＳ通信制御部１１２は、ＳＰＳ通信制御部２１２が決定した所定の期間と同じ期間を特定することができる。【０１０６】
そして、ＳＰＳ通信制御部１１２は、決定した所定の期間をＳＰＳ受信管理部１２１に通知する。このＳＰＳ通信設定部１１２が、「受信タイミング特定部」の一例にあたる。【０１０７】
ＳＰＳ受信管理部１２１は、ＳＰＳ通信制御部１１２から通知された所定の期間では、ＳＰＳの設定を解除し、ＰＤＣＣＨを含むデータの受信を行う。例えば、ＳＰＳ受信管理部１２１は、所定の期間においてＰＤＣＣＨのブラインド復号を行い自局宛のＰＤＣＣＨを検出しデータの受信を試みる。このＳＰＳ受信管理部１２１が。「受信制御部」の一例にあたる。【０１０８】
次に図８を参照して、本実施例に係る無線通信システムによる通信タイミングの重複時の処理の全体的な流れを説明する。図８は、実施例２に係る無線通信システムによる通信タイミングの重複時の処理の概要を説明するための図である。ここの説明では、２つのＳＰＳ通信を行う場合で説明する。図８における各表記の意味は、図４で説明した表記と同じであるものとする。【０１０９】
通信タイミングをずらさない場合、点線で囲われた通信タイミング６０１で、ＳＰＳ１とＳＰＳ２の通信タイミングが重なってしまう。そこで、基地局２のＳＰＳ通信制御部２１２は、タイミング６０２からタイミング６０５を所定期間と決定する。同様に、移動局１のＳＰＳ通信制御部１１２も、タイミング６０２からタイミング６０５を所定期間と特定する。【０１１０】
そして、ＳＰＳ通信制御部１１２が決定したタイミング６０２が到来すると、ＳＰＳ受信管理部１２１は、ＳＰＳ１及びＳＰＳ２のＳＰＳ通信の設定をリリースする。そして、ＳＰＳ受信管理部１２１は、ＤＳ通信に切り替え、ＳＰＳ１及びＳＰＳ２におけるＰＤＣＣＨを含むデータを待つ。ＳＰＳ送信管理部２２１は、ＳＰＳ通信制御部１１２が決定したタイミング６０２〜６０５の期間では、ＰＤＣＣＨを含むデータ６０３及び６０４を重ならないように送信する。そして、ＳＰＳ受信管理部１２１は、ＰＤＣＣＨを含むデータ６０３及び６０４をそれぞれ受信する。【０１１１】
その後、ＳＰＳ通信制御部１１２が決定したタイミング６０５が到来すると、ＳＰＳ受信管理部１２１は、ＳＰＳ１及びＳＰＳ２にＳＰＳ通信の設定を行う。ＳＰＳ送信管理部２２１は、ＳＰＳ通信制御部１１２が決定したタイミング６０５以降では、ＳＰＳ１及びＳＰＳ２ともにＳＰＳ通信を行う。【０１１２】
次に、図９を参照して、本実施例に係る移動局１のＳＰＳ通信における通信タイミングの重複解消の処理の流れを説明する。図９は、実施例２に係る移動局のＳＰＳ通信における通信タイミングの重複解消の処理のフローチャートである。【０１１３】
ＳＰＳ周期制御部１１１は、ＲＲＣシグナリングで通知された各ＳＰＳ通信の周期をＳＰＳ受信管理部１２１に通知し、ＳＰＳ通信の周期を個別に設定する（ステップＳ３０１）。【０１１４】
ＳＰＳ通信制御部１１２は、アクティベーションのＰＤＣＣＨを受信し、通知された無線リソースを用いてＳＰＳ受信管理部１２１にそれぞれのＳＰＳ通信の設定を指示し、ＳＰＳ通信毎に個別にアクティベーションする（ステップＳ３０２）。【０１１５】
ＳＰＳ受信管理部１２１は、ＳＰＳ周期制御部１１１から通知されたＳＰＳの周期を用いて、ＳＰＳデータの受信タイミングが到来したか否かを判定する（ステップＳ３０３）。受信タイミングが到来していない場合（ステップＳ３０３：否定）、ＳＰＳ受信管理部１２１は、受信タイミングまで待機する。【０１１６】
これに対して、受信タイミングが到来した場合（ステップＳ３０３：肯定）、ＳＰＳ受信管理部１２１は、ＳＰＳ通信の通信タイミングで、ＳＰＳデータを受信する（ステップＳ３０４）。【０１１７】
その後、ＳＰＳ受信管理部１２１は、ＳＰＳ通信制御部１１２から通知された所定の期間の開始時点である、ＤＳ通信の切り替えタイミングが到来したか否かを判定する（ステップＳ３０５）。ＤＳ通信の切り替えタイミングが到来していない場合（ステップＳ３０５：否定）、ＳＰＳ受信管理部１２１は、ＤＳ通信の切り替えタイミングが到来するまで待機する。【０１１８】
これに対して、ＤＳ通信の切り替えタイミングが到来した場合（ステップＳ３０５：肯定）、ＳＰＳ受信管理部１２１は、ＳＰＳ通信の設定を解除し、ＤＳ通信に切り替える。そして、ＳＰＳ受信管理部１２１は、ＰＤＣＣＨを含むデータを待受ける（ステップＳ３０６）。その後、ＳＰＳ受信管理部１２１は、ＰＤＣＣＨによりＳＰＳデータを受信する（ステップＳ３０７）。【０１１９】
その後、ＳＰＳ受信管理部１２１は、ＳＰＳ通信制御部１１２から通知された所定の期間の終了時点である、ＤＳ通信の期間の終了が到来したか否かを判定する（ステップＳ３０８）。ＤＳ通信の期間の終了が到来していない場合（ステップＳ３０８：否定）、ＳＰＳ受信管理部１２１は、ＤＳ通信の期間の終了が到来するまで待機する。【０１２０】
これに対して、ＤＳ通信の期間の終了が到来した場合（ステップＳ３０８：肯定）、ＳＰＳ受信管理部１２１は、ＳＰＳ通信に設定を変更する（ステップＳ３０９）。【０１２１】
次に、図１０を参照して、本実施例に係る基地局２のＳＰＳ通信における通信タイミングの重複解消の処理の流れを説明する。図１０は、実施例２に係る基地局のＳＰＳ通信における通信タイミングの重複解消の処理のフローチャートである。【０１２２】
ＳＰＳ周期制御部２１１は、スケジューリング部２３から取得した各ＳＰＳ通信の周期をＳＰＳ送信管理部２２１に通知する。そして、ＳＰＳ送信管理部２２１は、ＳＰＳ通信の周期を個別に設定する（ステップＳ４０１）。【０１２３】
ＳＰＳ通信制御部２１２は、各ＳＰＳ通信におけるアクティベーションのＰＤＣＣＨの送信をＳＰＳ送信管理部２２１に指示する。ＳＰＳ送信管理部２２１は、ＳＰＳ通信制御部２１２からの指示を受けて、アクティベーションのＰＤＣＣＨを移動局１に送信し、移動局１の各ＳＰＳ通信を個別にアクティベーションする（ステップＳ４０２）。【０１２４】
ＳＰＳ送信管理部２２１は、ＳＰＳ周期制御部２１１から通知されたＳＰＳの周期を用いて、ＳＰＳデータの送信タイミングが到来したか否かを判定する（ステップＳ４０３）。送信タイミングが到来していない場合（ステップＳ４０３：否定）、ＳＰＳ送信管理部２２１は、送信タイミングまで待機する。【０１２５】
これに対して、送信タイミングが到来した場合（ステップＳ４０３：肯定）、ＳＰＳ送信管理部２２１は、ＳＰＳ通信の通信タイミングで、ＳＰＳデータを送信する（ステップＳ４０４）。【０１２６】
その後、ＳＰＳ送信管理部２２１は、ＳＰＳ通信制御部２１２から通知された所定の期間の開始時点である、ＤＳ通信の切り替えタイミングが到来したか否かを判定する（ステップＳ４０５）。ＤＳ通信の切り替えタイミングが到来していない場合（ステップＳ４０５：否定）、ＳＰＳ送信管理部２２１は、ＤＳ通信の切り替えタイミングが到来するまで待機する。【０１２７】
これに対して、ＤＳ通信の切り替えタイミングが到来した場合（ステップＳ４０５：肯定）、ＳＰＳ送信管理部２２１は、ＤＳ通信に通信方法を変更する（ステップＳ４０６）。そして、ＳＰＳ送信管理部２２１は、ＰＤＣＣＨによりＳＰＳデータを送信する（ステップＳ４０７）。【０１２８】
その後、ＳＰＳ送信管理部２２１は、ＳＰＳ通信制御部２１２から通知された所定の期間の終了時点である、ＤＳ通信の期間の終了が到来したか否かを判定する（ステップＳ４０８）。ＤＳ通信の期間の終了が到来していない場合（ステップＳ４０８：否定）、ＳＰＳ送信管理部２２１は、ＤＳ通信の期間の終了が到来するまで待機する。【０１２９】
これに対して、ＤＳ通信の期間の終了が到来した場合（ステップＳ４０８：肯定）、ＳＰＳ送信管理部２２１は、ＳＰＳ通信に設定を変更する（ステップＳ４０９）。【０１３０】
以上に説明したように、本変形例に係る無線通信システムは、通信タイミングが重なる場合に、移動局と基地局とのそれぞれで自律的にＤＳ通信を行う期間を取得し、その期間では、ＤＳ通信を行うことで通信タイミングをずらして通信を行う。これにより、通信タイミングが重なる場合にも、各ＳＰＳ通信のデータを全て取得することができる。また、実施例１に比較して、アクティベーションとリリースの信号の送受信を行わないため、シグナリング量を減らすことができ、無線通信をより安定させることができる。【０１３１】
また、以上の説明では、所定期間の間、移動局１は、ＰＤＣＣＨを含むデータの受信を待受けていたが、通信タイミングが分かれば待受けなくてもよい。例えば、移動局１と基地局２との間で通信タイミングを共有しておき、そのタイミングで、ＰＤＣＣＨを含むデータの送受信を行うことにしておけば、移動局１はそのタイミングでのみＰＤＣＣＨを含むデータを待てばよい。ここで、移動局１と基地局２との間で、通信タイミングのずらし方を共有する方法としては、基地局２からＲＲＣシグナリングなどで移動局１に通知しても良いし、予め通信タイミングをずらす方法を共有しておいてもよいし、報知情報でずらし方を共有してもよい。このようにすることで、移動局１におけるＰＤＣＣＨを含むデータの待ちうけ期間を減らせ、移動局１の負荷を軽減することができる。
【実施例３】
【０１３２】
次に、実施例３について説明する。本実施例に係る無線通信システムは、基地局において予め重複する通信タイミングをずらしたＳＰＳ通信の通信タイミングを作成し、ＤＳに切り替えることなく、その通信タイミングでＳＰＳ通信を行っていくことが上述した実施例及び変形例と異なるものである。本実施例に係る移動局及び基地局についても、図１及び図２のブロック図で表される。以下では、上述した実施例及び変形例と同様の各部の構成及び動作については説明を省略する。【０１３３】
基地局２のＳＰＳ通信制御部２１２は、スケジューリング部２３から取得した各ＳＰＳ通信の通信タイミングから、各ＳＰＳ通信間で重複する通信タイミングを特定する。そして、ＳＰＳ通信制御部２１２は、各ＳＰＳ通信間の通信タイミングが重ならないように、特定した通信タイミングが重複している部分のそれぞれのＳＰＳ通信における通信タイミングを予め決められた方法でずらす。そして、ＳＰＳ通信制御部２１２は、ずらした通信タイミングをＳＰＳ送信管理部２２１及び信号生成部２１３へ通知する。このＳＰＳ通信制御部２１２は、「通信タイミング修正部」の一例にあたる。【０１３４】
ＳＰＳ送信管理部２２１は、ＳＰＳ通信制御部２１２から通知されたずらした通信タイミングで、ＳＰＳ周期制御部２１１から通知された各ＳＰＳ通信の周期的な通信タイミングを修正する。この修正は、例えば、ずらす対象とする通信タイミングに対してオフセットを付加することで実現できる。さらに、ＳＰＳ送信管理部２２１は、修正した各ＳＰＳ通信の通信タイミングを信号生成部２１３に通知する。このＳＰＳ送信管理部２２１が、「通信タイミング通知部」の一例にあたる。【０１３５】
信号生成部２１３は、修正した各ＳＰＳ通信の通信タイミングを含むＲＲＣシグナリングを生成し、移動局１へ通知する。【０１３６】
移動局１のＳＰＳ周期制御部１１１は、受信したＲＲＣから各ＳＰＳ通信の通信タイミングを取得する。そして、ＳＰＳ周期制御部１１１は、ＳＰＳ受信管理部１２１に取得した各ＳＰＳ通信の通信タイミングのスケジュールを通知する。このＳＰＳ周期制御部１１１が、「通信タイミング取得部」の一例にあたる。【０１３７】
ＳＰＳ受信管理部１２１は、ＳＰＳ周期制御部１１１から通知されたスケジュールを用いて基地局とのＳＰＳ通信を行う。【０１３８】
次に図１１を参照して、本実施例に係る無線通信システムによる通信タイミングの重複時の処理の全体的な流れを説明する。図１１は、実施例３に係る無線通信システムによる通信タイミングの重複時の処理の概要を説明するための図である。ここの説明では、２つのＳＰＳ通信を行う場合で説明する。図１１における各表記の意味は、図４で説明した表記と同じであるものとする。【０１３９】
通信タイミングをずらさない場合、点線で囲われた通信タイミング７０１で、ＳＰＳ１とＳＰＳ２の通信タイミングが重なってしまう。そこで、基地局２のＳＰＳ通信制御部２１２は、ＳＰＳ１の通信タイミング７０１を１つ前のサブフレームである通信タイミング７０２にずらす。また、ＳＰＳ通信制御部１１２は、ＳＰＳ２の通信タイミング７０１を１つ後のサブフレームである通信タイミング７０３にずらす。【０１４０】
そして、ＳＰＳ送信管理部２２１は、図１１に示すような通信タイミングをＳＰＳ１及びＳＰＳ２の通信タイミングとする。そして、信号生成部２１３は、図１１に示すような通信タイミングを移動局１に通知する。移動局１のＳＰＳ受信管理部１２１は、図１１に示すような通信タイミングでＳＰＳ１及びＳＰＳ２のＳＰＳ通信の設定をする。これにより、移動局１と基地局２とは、図１１に示すような通信タイミングでＳＰＳ１及びＳＰＳ２におけるデータの送受信を行うことができる。【０１４１】
次に、図１２を参照して、本実施例に係る移動局１のＳＰＳ通信における通信タイミングの重複解消の処理の流れを説明する。図１２は、実施例３に係る移動局のＳＰＳ通信における通信タイミングの重複解消の処理のフローチャートである。【０１４２】
ＳＰＳ周期制御部１１１は、ＲＲＣシグナリングで通知された各ＳＰＳ通信の周期をＳＰＳ受信管理部１２１に通知し、ＳＰＳ通信の周期を個別に設定する（ステップＳ５０１）。【０１４３】
ＳＰＳ通信制御部１１２は、アクティベーションのＰＤＣＣＨを受信し、通知された無線リソースを用いてＳＰＳ受信管理部１２１にそれぞれのＳＰＳ通信の設定を指示し、ＳＰＳ通信毎に個別にアクティベーションする（ステップＳ５０２）。【０１４４】
ＳＰＳ受信管理部１２１は、ＳＰＳ周期制御部１１１から通知されたＳＰＳの周期を用いて、ＳＰＳデータの受信タイミングが到来したか否かを判定する（ステップＳ５０３）。受信タイミングが到来していない場合（ステップＳ５０３：否定）、ＳＰＳ受信管理部１２１は、受信タイミングまで待機する。【０１４５】
これに対して、受信タイミングが到来した場合（ステップＳ５０３：肯定）、ＳＰＳ受信管理部１２１は、ＳＰＳ通信の通信タイミングで、ＳＰＳデータを受信する（ステップＳ５０４）。【０１４６】
その後、ＳＰＳ受信管理部１２１は、ＳＰＳ周期制御部１１１から通知された各ＳＰＳの通信タイミングから、重複する通信タイミングが接近したか否かを判定する（ステップＳ５０５）。重複する通信タイミングが接近していない場合（ステップＳ５０５：否定）、ＳＰＳ受信管理部１２１は、重複する通信タイミングが接近するまで待機する。【０１４７】
これに対して、重複する通信タイミングが接近した場合（ステップＳ５０５：肯定）、ＳＰＳ受信管理部１２１は、ＳＰＳ通信タイミングを周期的なタイミングからずらした通信タイミングに変更する（ステップＳ５０６）。その後、ＳＰＳ受信管理部１２１は、ＳＰＳ通信のずらした通信タイミングで、ＳＰＳデータを受信する（ステップＳ５０７）。【０１４８】
その後、ＳＰＳ受信管理部１２１は、次の受信タイミングが接近したか否かを判定する（ステップＳ５０８）。次の受信タイミングが接近していない場合（ステップＳ５０８：否定）、ＳＰＳ受信管理部１２１は、次の受信タイミングが接近するまで待機する。【０１４９】
これに対して、次の受信タイミングが接近した場合（ステップＳ５０８：肯定）、ＳＰＳ受信管理部１２１は、ＳＰＳ通信のタイミングを周期的なタイミングに変更する（ステップＳ５０９）。【０１５０】
次に、図１３を参照して、本実施例に係る基地局２のＳＰＳ通信における通信タイミングの重複解消の処理の流れを説明する。図１３は、実施例３に係る基地局のＳＰＳ通信における通信タイミングの重複解消の処理のフローチャートである。【０１５１】
ＳＰＳ周期制御部２１１は、スケジューリング部２３から取得した各ＳＰＳ通信の周期をＳＰＳ送信管理部２２１に通知する。そして、ＳＰＳ送信管理部２２１は、ＳＰＳ通信の周期を個別に設定する（ステップＳ６０１）。【０１５２】
ＳＰＳ通信制御部２１２は、各ＳＰＳ通信におけるアクティベーションのＰＤＣＣＨの送信をＳＰＳ送信管理部２２１に指示する。ＳＰＳ送信管理部２２１は、ＳＰＳ通信制御部２１２からの指示を受けて、アクティベーションのＰＤＣＣＨを移動局１に送信し、移動局１の各ＳＰＳ通信を個別にアクティベーションする（ステップＳ６０２）。【０１５３】
ＳＰＳ送信管理部２２１は、ＳＰＳ周期制御部２１１から通知されたＳＰＳの周期を用いて、ＳＰＳデータの送信タイミングが到来したか否かを判定する（ステップＳ６０３）。送信タイミングが到来していない場合（ステップＳ６０３：否定）、ＳＰＳ送信管理部２２１は、送信タイミングまで待機する。【０１５４】
これに対して、送信タイミングが到来した場合（ステップＳ６０３：肯定）、ＳＰＳ送信管理部２２１は、ＳＰＳ通信の通信タイミングで、ＳＰＳデータを送信する（ステップＳ６０４）。【０１５５】
その後、ＳＰＳ送信管理部２２１は、修正した各ＳＰＳの通信タイミングから、重複する通信タイミングが接近したか否かを判定する（ステップＳ６０５）。重複する通信タイミングが接近していない場合（ステップＳ６０５：否定）、ＳＰＳ送信管理部２２１は、重複する通信タイミングが接近するまで待機する。【０１５６】
これに対して、重複する通信タイミングが接近した場合（ステップＳ６０５：肯定）、ＳＰＳ送信管理部２２１は、ＳＰＳ通信タイミングを周期的なタイミングからずらした通信タイミングに変更する（ステップＳ６０６）。その後、ＳＰＳ送信管理部２２１は、ＳＰＳ通信のずらした通信タイミングで、ＳＰＳデータを送信する（ステップＳ６０７）。【０１５７】
その後、ＳＰＳ送信管理部２２１は、次の送信タイミングが接近したか否かを判定する（ステップＳ６０８）。次の送信タイミングが接近していない場合（ステップＳ６０８：否定）、ＳＰＳ送信管理部２２１は、次の受信タイミングが接近するまで待機する。【０１５８】
これに対して、次の送信タイミングが接近した場合（ステップＳ６０８：肯定）、ＳＰＳ送信管理部２２１は、ＳＰＳ通信のタイミングを周期的なタイミングに変更する（ステップＳ６０９）。【０１５９】
以上に説明したように、本変形例に係る無線通信システムは、通信タイミングが重なる場合に、予め通信タイミングをずらしたＳＰＳ通信の通信タイミングを作成し、それに基づき通信を行う。これにより、通信タイミングが重なる場合にも、移動局は、ＤＳに切り替えることなく、各ＳＰＳ通信のデータを全て取得することができる。また、実施例１に比較して、アクティベーションとリリースの信号の送受信を行わないため、シグナリング量を減らすことができ、無線通信をより安定させることができる。
【実施例４】
【０１６０】
次に、実施例４について説明する。本実施例に係る無線通信システムは、通信タイミングが重複する場合に、その通信タイミングにおける通信を空間多重伝送によって行うことが上述した実施例及び変形例と異なるものである。本実施例に係る移動局及び基地局についても、図１及び図２のブロック図で表される。以下では、上述した実施例及び変形例と同様の各部の構成及び動作については説明を省略する。【０１６１】
基地局２のＳＰＳ通信制御部２１２は、スケジューリング部２３から取得した各ＳＰＳ通信の通信タイミングから、各ＳＰＳ通信間で重複する通信タイミングを特定する。そして、ＳＰＳ通信制御部２１２は、特定した通信タイミングにおいて空間多重伝送方式を用いることをＳＰＳ送信管理部２２１及び信号生成部２１３に通知する。【０１６２】
ＳＰＳ送信管理部２２１は、ＳＰＳ通信制御部２１２から通知された通信タイミングで、空間多重伝送により各ＳＰＳ通信におけるＳＰＳデータの送信を行う。【０１６３】
信号生成部２１３は、ＳＰＳ通信制御部２１２から通知された通信タイミングで、空間多重伝送による通信を行うことをＲＲＣシグナリングを用いて移動局１へ通知する。【０１６４】
移動局１のＳＰＳ通信制御部１１２は、空間多重伝送により通信が行われる通信タイミングを受信したＲＲＣから取得する。そして、ＳＰＳ周期制御部１１１は、ＳＰＳ受信管理部１２１に、空間多重伝送により通信が行われるＳＰＳ通信の通信タイミングを通知する。【０１６５】
ＳＰＳ受信管理部１２１は、ＳＰＳ周期制御部１１１から通知された通信タイミングでは、空間多重伝送を用いて基地局２とのＳＰＳ通信を行う。【０１６６】
次に図１４を参照して、本実施例に係る無線通信システムによる通信タイミングの重複時の処理の全体的な流れを説明する。図１４は、実施例４に係る無線通信システムによる通信タイミングの重複時の処理の概要を説明するための図である。ここの説明では、２つのＳＰＳ通信を行う場合で説明する。図１４における各表記の意味は、図４で説明した表記と同じであるものとする。【０１６７】
空間多重伝送を用いない場合、点線で囲われた通信タイミング８０１で、ＳＰＳ１とＳＰＳ２の通信タイミングが重なってしまう。そこで、基地局２のＳＰＳ通信制御部２１２は、通信タイミング８０１においてＳＰＳ１とＳＰＳ２のＳＰＳデータを空間多重伝送を用いて送信するとする。【０１６８】
そして、ＳＰＳ通信制御部２１２は、空間多重伝送を用いて通信を行う通信タイミング８０１をＳＰＳ送信管理部２２１に通知する。また、移動局１のＳＰＳ受信管理部１２１は、空間多重伝送を用いて通信を行う通信タイミング８０１の通知をＳＰＳ通信制御部１１２から受ける。これにより、移動局１と基地局２とは、通信タイミング８０１において空間多重伝送による通信を行うことで、ＳＰＳ１及びＳＰＳ２におけるデータの送受信を行うことができる。【０１６９】
次に、図１５を参照して、本実施例に係る移動局１のＳＰＳ通信における通信タイミングの重複解消の処理の流れを説明する。図１５は、実施例４に係る移動局のＳＰＳ通信における通信タイミングの重複解消の処理のフローチャートである。【０１７０】
ＳＰＳ周期制御部１１１は、ＲＲＣで通知された各ＳＰＳ通信の周期をＳＰＳ受信管理部１２１に通知し、ＳＰＳ通信の周期を個別に設定する（ステップＳ７０１）。【０１７１】
ＳＰＳ通信制御部１１２は、アクティベーションのＰＤＣＣＨを受信し、通知された無線リソースを用いてＳＰＳ受信管理部１２１にそれぞれのＳＰＳ通信の設定を指示し、ＳＰＳ通信毎に個別にアクティベーションする（ステップＳ７０２）。【０１７２】
ＳＰＳ受信管理部１２１は、ＳＰＳ周期制御部１１１から通知されたＳＰＳの周期を用いて、ＳＰＳデータの受信タイミングが到来したか否かを判定する（ステップＳ７０３）。受信タイミングが到来していない場合（ステップＳ７０３：否定）、ＳＰＳ受信管理部１２１は、受信タイミングまで待機する。【０１７３】
これに対して、受信タイミングが到来した場合（ステップＳ７０３：肯定）、ＳＰＳ受信管理部１２１は、ＳＰＳ通信の通信タイミングで、ＳＰＳデータを受信する（ステップＳ７０４）。【０１７４】
その後、ＳＰＳ受信管理部１２１は、重複する通信タイミングが到来したか否かを判定する（ステップＳ７０５）。重複する通信タイミングが到来していない場合（ステップＳ７０５：否定）、ＳＰＳ受信管理部１２１は、重複する通信タイミングが到来するまで待機する。【０１７５】
これに対して、重複する通信タイミングが到来した場合（ステップＳ７０５：肯定）、ＳＰＳ受信管理部１２１は、空間多重伝送を用いた通信に切り替える（ステップＳ７０６）。その後、ＳＰＳ受信管理部１２１は、重複する通信タイミングで、空間多重伝送により各ＳＰＳ通信のＳＰＳデータを受信する（ステップＳ７０７）。【０１７６】
その後、ＳＰＳ受信管理部１２１は、次の受信タイミングが接近したか否かを判定する（ステップＳ７０８）。次の受信タイミングが接近していない場合（ステップＳ７０８：否定）、ＳＰＳ受信管理部１２１は、次の受信タイミングが接近するまで待機する。【０１７７】
これに対して、次の受信タイミングが接近した場合（ステップＳ７０８：肯定）、ＳＰＳ受信管理部１２１は、空間多重伝送による通信を解除する（ステップＳ７０９）。【０１７８】
次に、図１６を参照して、本実施例に係る基地局２のＳＰＳ通信における通信タイミングの重複解消の処理の流れを説明する。図１６は、実施例４に係る基地局のＳＰＳ通信における通信タイミングの重複解消の処理のフローチャートである。【０１７９】
ＳＰＳ周期制御部２１１は、スケジューリング部２３から取得した各ＳＰＳ通信の周期をＳＰＳ送信管理部２２１に通知する。そして、ＳＰＳ送信管理部２２１は、ＳＰＳ通信の周期を個別に設定する（ステップＳ８０１）。【０１８０】
ＳＰＳ通信制御部２１２は、各ＳＰＳ通信におけるアクティベーションのＰＤＣＣＨの送信をＳＰＳ送信管理部２２１に指示する。ＳＰＳ送信管理部２２１は、ＳＰＳ通信制御部２１２からの指示を受けて、アクティベーションのＰＤＣＣＨを移動局１に送信し、移動局１の各ＳＰＳ通信を個別にアクティベーションする（ステップＳ８０２）。【０１８１】
ＳＰＳ送信管理部２２１は、ＳＰＳ周期制御部２１１から通知されたＳＰＳの周期を用いて、ＳＰＳデータの送信タイミングが到来したか否かを判定する（ステップＳ８０３）。送信タイミングが到来していない場合（ステップＳ８０３：否定）、ＳＰＳ送信管理部２２１は、送信タイミングまで待機する。【０１８２】
これに対して、送信タイミングが到来した場合（ステップＳ８０３：肯定）、ＳＰＳ送信管理部２２１は、ＳＰＳ通信の通信タイミングで、ＳＰＳデータを送信する（ステップＳ８０４）。【０１８３】
その後、ＳＰＳ送信管理部２２１は、重複する通信タイミングが到来したか否かを判定する（ステップＳ８０５）。重複する通信タイミングが到来していない場合（ステップＳ８０５：否定）、ＳＰＳ送信管理部２２１は、重複する通信タイミングが到来するまで待機する。【０１８４】
これに対して、重複する通信タイミングが到来した場合（ステップＳ８０５：肯定）、ＳＰＳ送信管理部２２１は、空間多重伝送を用いた通信に切り替える（ステップＳ８０６）。その後、ＳＰＳ送信管理部２２１は、重複する通信タイミングで、空間多重伝送により各ＳＰＳ通信のＳＰＳデータを送信する（ステップＳ８０７）。【０１８５】
その後、ＳＰＳ送信管理部２２１は、次の送信タイミングが接近したか否かを判定する（ステップＳ８０８）。次の送信タイミングが接近していない場合（ステップＳ８０８：否定）、ＳＰＳ送信管理部２２１は、次の受信タイミングが接近するまで待機する。【０１８６】
これに対して、次の送信タイミングが接近した場合（ステップＳ８０８：肯定）、ＳＰＳ送信管理部２２１は、空間多重伝送による通信を解除する（ステップＳ８０９）。【０１８７】
以上に説明したように、本変形例に係る無線通信システムは、通信タイミングが重なる場合に、空間多重伝送を用いて通信を行う。これにより、通信タイミングが重なる場合にも、移動局は、ＤＳに切り替えることなく、各ＳＰＳ通信のデータを全て取得することができる。また、実施例１に比較して、アクティベーションとリリースの信号の送受信を行わないため、シグナリング量を減らすことができ、無線通信をより安定させることができる。
【実施例５】
【０１８８】
次に、実施例５について説明する。本実施例に係る無線通信システムは、通信タイミングが重複する場合に、その通信タイミングにおける各ＳＰＳ通信におけるＳＰＳデータを１つのトランスポートブロックにまとめて通信を行うことが上述した実施例及び変形例と異なるものである。以下では、トランスポートブロックを「ＴＢ」と言う。本実施例に係る移動局及び基地局についても、図１及び図２のブロック図で表される。以下では、上述した実施例及び変形例と同様の各部の構成及び動作については説明を省略する。【０１８９】
基地局２のＳＰＳ通信制御部２１２は、スケジューリング部２３から取得した各ＳＰＳ通信の通信タイミングから、各ＳＰＳ通信間で重複する通信タイミングを特定する。そして、ＳＰＳ通信制御部２１２は、特定した通信タイミングにおける各ＳＰＳ通信におけるＳＰＳデータを１つのＴＢにまとめて送信することをＳＰＳ送信管理部２２１及び信号生成部２１３に通知する。【０１９０】
ＳＰＳ送信管理部２２１は、ＳＰＳ通信制御部２１２から通知された通信タイミングで、各ＳＰＳ通信のＳＰＳデータを１つにまとめたＴＢを移動局１に送信する。【０１９１】
信号生成部２１３は、ＳＰＳ通信制御部２１２から通知された通信タイミングで、ＴＢを用いた通信を行うことをＲＲＣシグナリングを用いて移動局１へ通知する。また、信号生成部２１３は、ＳＰＳ通信制御部２１２から通知された通信タイミングで、各ＳＰＳ通信におけるＳＰＳデータを１つのＴＢにまとめた信号を生成し、ＳＰＳ送信管理部２２１へ送信する。【０１９２】
移動局１のＳＰＳ通信制御部１１２は、ＴＢを用いた通信が行われる通信タイミングを受信したＲＲＣシグナリングから取得する。そして、ＳＰＳ周期制御部１１１は、ＴＢを用いた通信が行われるＳＰＳ通信の通信タイミングをＳＰＳ受信管理部１２１に通知する。【０１９３】
ＳＰＳ受信管理部１２１は、ＳＰＳ周期制御部１１１から通知された通信タイミングでは、ＴＢを用いた通信を基地局２との間で行う。【０１９４】
次に図１７を参照して、本実施例に係る無線通信システムによる通信タイミングの重複時の処理の全体的な流れを説明する。図１７は、実施例５に係る無線通信システムによる通信タイミングの重複時の処理の概要を説明するための図である。ここの説明では、２つのＳＰＳ通信を行う場合で説明する。図１７における各表記の意味は、図４で説明した表記と同じであるものとする。【０１９５】
空間多重伝送を用いない場合、点線で囲われた通信タイミング９０１で、ＳＰＳ１とＳＰＳ２の通信タイミングが重なってしまう。そこで、基地局２のＳＰＳ通信制御部２１２は、通信タイミング９０１においてＳＰＳ１とＳＰＳ２のＳＰＳデータを１つのＴＢにまとめて送信するとする。【０１９６】
そして、ＳＰＳ通信制御部２１２は、ＴＢを用いて通信を行う通信タイミング９０１をＳＰＳ送信管理部２２１に通知する。また、移動局１のＳＰＳ受信管理部１２１は、ＴＢを用いて通信を行う通信タイミング９０１の通知をＳＰＳ通信制御部１１２から受ける。これにより、移動局１と基地局２とは、通信タイミング９０１においてＴＢを用いた通信を行うことで、ＳＰＳ１及びＳＰＳ２におけるＳＰＳデータの送受信を行うことができる。【０１９７】
次に、図１８を参照して、本実施例に係る移動局１のＳＰＳ通信における通信タイミングの重複解消の処理の流れを説明する。図１８は、実施例５に係る移動局のＳＰＳ通信における通信タイミングの重複解消の処理のフローチャートである。【０１９８】
ＳＰＳ周期制御部１１１は、ＲＲＣで通知された各ＳＰＳ通信の周期をＳＰＳ受信管理部１２１に通知し、ＳＰＳ通信の周期を個別に設定する（ステップＳ９０１）。【０１９９】
ＳＰＳ通信制御部１１２は、アクティベーションのＰＤＣＣＨを受信し、通知された無線リソースを用いてＳＰＳ受信管理部１２１にそれぞれのＳＰＳ通信の設定を指示し、ＳＰＳ通信毎に個別にアクティベーションする（ステップＳ９０２）。【０２００】
ＳＰＳ受信管理部１２１は、ＳＰＳ周期制御部１１１から通知されたＳＰＳの周期を用いて、ＳＰＳデータの受信タイミングが到来したか否かを判定する（ステップＳ９０３）。受信タイミングが到来していない場合（ステップＳ９０３：否定）、ＳＰＳ受信管理部１２１は、受信タイミングまで待機する。【０２０１】
これに対して、受信タイミングが到来した場合（ステップＳ９０３：肯定）、ＳＰＳ受信管理部１２１は、ＳＰＳ通信の通信タイミングで、ＳＰＳデータを受信する（ステップＳ９０４）。【０２０２】
その後、ＳＰＳ受信管理部１２１は、重複する通信タイミングが到来したか否かを判定する（ステップＳ９０５）。重複する通信タイミングが到来していない場合（ステップＳ９０５：否定）、ＳＰＳ受信管理部１２１は、重複する通信タイミングが到来するまで待機する。【０２０３】
これに対して、重複する通信タイミングが到来した場合（ステップＳ９０５：肯定）、ＳＰＳ受信管理部１２１は、受信するデータのサイズをＴＢのサイズに変更する（ステップＳ９０６）。その後、ＳＰＳ受信管理部１２１は、重複する通信タイミングで、ＴＢにより１つにまとめられた各ＳＰＳ通信のＳＰＳデータを受信する（ステップＳ９０７）。そして、ＳＰＳ受信管理部１２１は、受信したＴＢから、各ＳＰＳ通信におけるＳＰＳデータを取得する。【０２０４】
その後、ＳＰＳ受信管理部１２１は、次の受信タイミングが接近したか否かを判定する（ステップＳ９０８）。次の受信タイミングが接近していない場合（ステップＳ９０８：否定）、ＳＰＳ受信管理部１２１は、次の受信タイミングが接近するまで待機する。【０２０５】
これに対して、次の受信タイミングが接近した場合（ステップＳ９０８：肯定）、ＳＰＳ受信管理部１２１は、受信するデータのサイズを元のサイズに戻す（ステップＳ９０９）。【０２０６】
次に、図１９を参照して、本実施例に係る基地局２のＳＰＳ通信における通信タイミングの重複解消の処理の流れを説明する。図１９は、実施例５に係る基地局のＳＰＳ通信における通信タイミングの重複解消の処理のフローチャートである。【０２０７】
ＳＰＳ周期制御部２１１は、スケジューリング部２３から取得した各ＳＰＳ通信の周期をＳＰＳ送信管理部２２１に通知する。そして、ＳＰＳ送信管理部２２１は、ＳＰＳ通信の周期を個別に設定する（ステップＳ１１１）。【０２０８】
ＳＰＳ通信制御部２１２は、各ＳＰＳ通信におけるアクティベーションのＰＤＣＣＨの送信をＳＰＳ送信管理部２２１に指示する。ＳＰＳ送信管理部２２１は、ＳＰＳ通信制御部２１２からの指示を受けて、アクティベーションのＰＤＣＣＨを移動局１に送信し、移動局１の各ＳＰＳ通信を個別にアクティベーションする（ステップＳ１１２）。【０２０９】
ＳＰＳ送信管理部２２１は、ＳＰＳ周期制御部２１１から通知されたＳＰＳの周期を用いて、ＳＰＳデータの送信タイミングが到来したか否かを判定する（ステップＳ１１３）。送信タイミングが到来していない場合（ステップＳ１１３：否定）、ＳＰＳ送信管理部２２１は、送信タイミングまで待機する。【０２１０】
これに対して、送信タイミングが到来した場合（ステップＳ１１３：肯定）、ＳＰＳ送信管理部２２１は、ＳＰＳ通信の通信タイミングで、ＳＰＳデータを送信する（ステップＳ１１４）。【０２１１】
その後、ＳＰＳ送信管理部２２１は、重複する通信タイミングが到来したか否かを判定する（ステップＳ１１５）。重複する通信タイミングが到来していない場合（ステップＳ１１５：否定）、ＳＰＳ送信管理部２２１は、重複する通信タイミングが到来するまで待機する。【０２１２】
これに対して、重複する通信タイミングが到来した場合（ステップＳ１１５：肯定）、ＳＰＳ送信管理部２２１は、通信に用いるデータのサイズをＴＢのサイズに変更する（ステップＳ１１６）。その後、ＳＰＳ送信管理部２２１は、重複する通信タイミングで、各ＳＰＳ通信のＳＰＳデータを１つにまとめたＴＢを送信する（ステップＳ１１７）。【０２１３】
その後、ＳＰＳ送信管理部２２１は、次の送信タイミングが接近したか否かを判定する（ステップＳ１１８）。次の送信タイミングが接近していない場合（ステップＳ１１８：否定）、ＳＰＳ送信管理部２２１は、次の受信タイミングが接近するまで待機する。【０２１４】
これに対して、次の送信タイミングが接近した場合（ステップＳ１１８：肯定）、ＳＰＳ送信管理部２２１は、送信するデータのサイズを元のサイズに戻す（ステップＳ１１９）。【０２１５】
以上に説明したように、本変形例に係る無線通信システムは、通信タイミングが重なる場合に、各ＳＰＳ通信におけるＳＰＳデータを１つのトランスポートブロックにまとめて通信を行う。これにより、通信タイミングが重なる場合にも、移動局は、各ＳＰＳ通信のデータを全て取得することができる。また、実施例１に比較して、アクティベーションとリリースの信号の送受信を行わないため、シグナリング量を減らすことができ、無線通信をより安定させることができる。【０２１６】
（ハードウェア構成）
次に、以上の各実施例及び変形例に係る移動局１及び基地局２のハードウェア構成について説明する。図２０は、移動局のハードウェア構成図である。また、図２１は、基地局のハードウェア構成図である。【０２１７】
図２０に示すように、移動局１は、プロセッサ１００１、ロム１００２、メインメモリ１００３、ストレージ１００４、無線通信部１００５、表示部１００６、入力部１００７及びコミュニケーションインタフェース１００８及びアンテナ１００９を有している。【０２１８】
ロム１００２、メインメモリ１００３、ストレージ１００４、無線通信部１００５、表示部１００６、入力部１００７、コミュニケーションインタフェース１００８はそれぞれ、バス１０１０を介してプロセッサ１００１と接続している。【０２１９】
表示部１００６は、例えば、液晶画面などである。また、入力部１００７は、例えば、キーパッドなどである。移動局１の操作者は、表示部１００６及び入力部１００７を用いて電話番号などの入力を行う。【０２２０】
コミュニケーションインタフェース１００８は、例えば、スピーカ及びマイクなどである。移動局１の１の操作者は、コミュニケーションインタフェース１００８を用いて音声の送受信などの操作を行う。【０２２１】
アンテナ１００９は、無線通信部１００５に接続されている。無線通信部１００５及びプロセッサ１００１により、例えば図１に示す送受信部１１の機能が実現される。【０２２２】
ロム１００２は、例えば、制御プレーン部１１０、データプレーン部１２０及び上り送信部１３が行う各種処理を実行するためのプログラムを記憶している。そして、プロセッサ１００１は、ロム１００２に記憶されている各種プログラムを読みだし、メインメモリ１００３に展開し各処理を行うプロセスを生成し実行する。【０２２３】
プロセッサ１００１、ロム１００２、メインメモリ１００３及びストレージ１００４により、例えば、図１に示す制御プレーン部１１０、データプレーン部１２０及び上り送信部１３による上述したような各機能などが実現される。【０２２４】
図２１に示すように、基地局２は、プロセッサ１１０１、ロム１１０２、メインメモリ１１０３、ストレージ１１０４、無線通信部１１０５、表示部１１０６、入力部１１０７、コミュニケーションインタフェース１１０８及びアンテナ１１０９を有している。【０２２５】
ロム１１０２、メインメモリ１１０３、ストレージ１１０４、無線通信部１１０５、表示部１１０６、入力部１１０７及びコミュニケーションインタフェース１１０８はそれぞれ、バス１１１０を介してプロセッサ１１０１と接続している。【０２２６】
表示部１１０６は、例えばモニタなどである。また、入力部１１０７は、キーボードなどである。基地局２の操作者は、表示部１１０６及び入力部１１０７を用いて電話番号などの入力を行う。【０２２７】
コミュニケーションインタフェース１１０８は、例えば、上位局との通信を行うためのインタフェースである。具体的には、ネットワークボードやＡＤＣ（Analog  Digital  Convertor）などである。コミュニケーションインタフェース１１０８及びプロセッサ１１０１は、例えば図２に示される上位局送受信部２１の機能を実現する。【０２２８】
アンテナ１１０９は、無線通信部１１０５に接続されている。無線通信部１１０５及びプロセッサ１１０１により、例えば図２に示す送受信部２４の機能が実現される。【０２２９】
ストレージ１１０４は、ハードディスクなどの記憶装置である。【０２３０】
ロム１１０２は、例えば、制御プレーン部２１０、データプレーン部２２０及びスケジューリング部２３が行う各種処理を実行するためのプログラムを記憶している。そして、プロセッサ１１０１は、ロム１１０２に記憶されている各種プログラムを読みだし、メインメモリ１１０３に展開し各処理を行うプロセスを生成し実行する。【０２３１】
プロセッサ１１０１、ロム１１０２、メインメモリ１１０３及びストレージ１１０４により、例えば、図２に示す制御プレーン部２１０、データプレーン部２２０及びスケジューリング部２３による上述したような各機能などが実現される。
【符号の説明】
【０２３２】
１  移動局
２  基地局
３  上位局
１１  送受信部
１２  制御部
１３  上り送信部
２１  上位局送受信部
２２  制御部
２３  スケジューリング部
２４  送受信部
１１０  制御プレーン部
１１１  ＳＰＳ周期制御部
１１２  ＳＰＳ通信制御部
１２０  データプレーン部
１２１  ＳＰＳ受信管理部
１２２  ＨＡＲＱ処理部
２１０  制御プレーン部
２１１  ＳＰＳ周期制御部
２１２  ＳＰＳ通信制御部
２１３  信号生成部
２２０  データプレーン部
２２１  ＳＰＳ送信管理部
２２２  ＨＡＲＱ管理部
【図１】
0005907172.tif 000002
【図２】
0005907172.tif 000003
【図３】
0005907172.tif 000004
【図４】
0005907172.tif 000005
【図５】
0005907172.tif 000006
【図６】
0005907172.tif 000007
【図７】
0005907172.tif 000008
【図８】
0005907172.tif 000009
【図９】
0005907172.tif 000010
【図１０】
0005907172.tif 000011
【図１１】
0005907172.tif 000012
【図１２】
0005907172.tif 000013
【図１３】
0005907172.tif 000014
【図１４】
0005907172.tif 000015
【図１５】
0005907172.tif 000016
【図１６】
0005907172.tif 000017
【図１７】
0005907172.tif 000018
【図１８】
0005907172.tif 000019
【図１９】
0005907172.tif 000020
【図２０】
0005907172.tif 000021
【図２１】
0005907172.tif 000022